(57)【要約】【課題】各種複数の生産基本情報を上位から下位に向かって自由に組み合わせた多種多様な統合化部品表を作成することができ、各種物品の統合化部品表を効率的に作成することができる統合化部品表作成システムする。【解決手段】統合化部品表作成システムは、構成マスタから抽出した２項関係および３項関係を統合し、統合したそれら関係に従って、生産基本情報マスタから抽出した生産基本情報をその上位から下位に向かって一連につなげることで物品の統合化部品表を作成する統合化部品表作成手段と、所定物品の２項関係と３項関係とのうち、他物品に適用可能な２項関係および３項関係を所定物品と他物品とに共用させる関係共用手段と、所定物品の２項関係と３項関係とのうち、他物品に流用可能な２項関係および３項関係を所定物品から他物品に流用する関係流用手段とを有する。【選択図】図１
2009080531.tif 000002
【特許請求の範囲】
【請求項１】
各種複数の生産基本情報をその上位から下位に向かって一連につなげることで物品の統合化部品表を作成する統合化部品表作成システムにおいて、
前記生産基本情報が、任意の第１生産基本情報と該第１生産基本情報の直近下位に連なる第２生産基本情報との２項関係によって連繋するとともに、任意の第１生産基本情報と該第１生産基本情報の直近下位に連なる第２生産基本情報と該第２生産基本情報の直近下位に連なる第３生産基本情報との３項関係によって連繋し、前記システムが、各種複数の生産基本情報を格納した生産基本情報マスタと、各種複数の２項関係および各種複数の３項関係を格納した構成マスタとを備え、
前記システムは、前記構成マスタから抽出した２項関係および３項関係を統合し、統合したそれら関係に従って、前記生産基本情報マスタから抽出した生産基本情報をその上位から下位に向かって一連につなげることで物品の統合化部品表を作成する統合化部品表作成手段と、所定物品の前記２項関係と前記３項関係とのうち、他物品に適用可能な２項関係および３項関係を該所定物品と該他物品とに共用させる関係共用手段と、所定物品の前記２項関係と前記３項関係とのうち、他物品に流用可能な２項関係および３項関係を該所定物品から該他物品に流用する関係流用手段とを有することを特徴とする統合化部品表作成システム。
【請求項２】
前記関係共用手段が、所定物品の前記２項関係および前記３項関係を形成する第１〜第３生産基本情報のうちの少なくとも１つが変更されると、変更された生産基本情報を含む所定物品の前記２項関係と前記３項関係とのうち、他物品に適用可能な２項関係および３項関係を該所定物品と該他物品とに共用させる請求項１記載の統合化部品表作成システム。
【請求項３】
前記関係共用手段が、所定物品の前記２項関係と前記３項関係との少なくとも一方に前記第２生産基本情報と前記第３生産基本情報との少なくとも１つが追加されると、追加された生産基本情報を含む所定物品の前記２項関係と前記３項関係とのうち、他物品に適用可能な２項関係および３項関係を該所定物品と該他物品とに共用させる請求項１または請求項２に記載の統合化部品表作成システム。
【請求項４】
前記関係共用手段が、所定物品の前記２項関係および前記３項関係を形成する前記第２生産基本情報と前記第３生産基本情報との少なくとも１つが削除されると、削除された生産基本情報を除く所定物品の前記２項関係と前記３項関係とのうち、他物品に適用可能な２項関係および３項関係を該所定物品と該他物品とに共用させる請求項１ないし請求項３いずれかに記載の統合化部品表作成システム。
【請求項５】
生産基本情報マスタには、前記生産基本情報の世代を区分する部品表形成時点および部品表離脱時点が時系列に格納され、前記構成マスタには、前記２項関係および３項関係の世代を区分する部品表形成時点および部品表離脱時点が時系列に格納され、
前記統合化部品表作成手段が、前記２項関係および３項関係の部品表形成時点および部品表離脱時点を参照しつつ、過去から現在までの任意の時点における統合化部品表の作成に必要な各種複数の２項関係および３項関係を前記構成マスタから抽出し、前記構成マスタから抽出した２項関係および３項関係を統合し、統合したそれら関係に従って、前記生産基本情報マスタから抽出した生産基本情報をその上位から下位に向かって一連につなげることで過去から現在までの任意の時点における物品の統合化部品表を作成する請求項１ないし請求項４いずれかに記載の統合化部品表作成システム。
【請求項６】
前記関係共用手段が、所定物品の前記２項関係および前記３項関係の世代が交代すると、世代が交代した所定物品の前記２項関係と前記３項関係とのうち、他物品に適用可能な２項関係および３項関係を該所定物品と該他物品とに共用させる請求項５記載の統合化部品表作成システム。
【請求項７】
コンピュータ資源を利用し、各種複数の生産基本情報をその上位から下位に向かって一連につなげることで物品の統合化部品表を作成する統合化部品表作成方法において、
前記統合化部品表作成方法が、各種複数の生産基本情報を格納した生産基本情報マスタと、任意の第１生産基本情報と該第１生産基本情報の直近下位に連なる第２生産基本情報との２項関係によって連繋する前記生産基本情報の各種複数の前記２項関係を格納し、任意の第１生産基本情報と該第１生産基本情報の直近下位に連なる第２生産基本情報と該第２生産基本情報の直近下位に連なる第３生産基本情報との３項関係によって連繋する前記生産基本情報の各種複数の前記３項関係を格納した構成マスタとを含み、
前記統合化部品表作成方法は、前記構成マスタから抽出した２項関係および３項関係を統合し、統合したそれら関係に従って、前記生産基本情報マスタから抽出した生産基本情報をその上位から下位に向かって一連につなげることで物品の統合化部品表を作成する統合化部品表作成プロセスと、所定物品の前記２項関係と前記３項関係とのうち、他物品に適用可能な２項関係および３項関係を該所定物品と該他物品とに共用させる関係共用プロセスと、所定物品の前記２項関係と前記３項関係とのうち、他物品に流用可能な２項関係および３項関係を該所定物品から該他物品に流用する関係流用プロセスとを実行することを特徴とする統合化部品表作成方法。
【請求項８】
前記関係共用プロセスが、所定物品の前記２項関係および前記３項関係を形成する第１〜第３生産基本情報のうちの少なくとも１つが変更されると、変更された生産基本情報を含む所定物品の前記２項関係と前記３項関係とのうち、他物品に適用可能な２項関係および３項関係を該所定物品と該他物品とに共用させる請求項７記載の統合化部品表作成方法。
【請求項９】
前記関係共用プロセスが、所定物品の前記２項関係と前記３項関係との少なくとも一方に前記第２生産基本情報と前記第３生産基本情報との少なくとも１つが追加されると、追加された生産基本情報を含む所定物品の前記２項関係と前記３項関係とのうち、他物品に適用可能な２項関係および３項関係を該所定物品と該他物品とに共用させる請求項７または請求項８に記載の統合化部品表作成方法。
【請求項１０】
前記関係共用プロセスが、所定物品の前記２項関係および前記３項関係を形成する前記第２生産基本情報と前記第３生産基本情報との少なくとも１つが削除されると、削除された生産基本情報を除く所定物品の前記２項関係と前記３項関係とのうち、他物品に適用可能な２項関係および３項関係を該所定物品と該他物品とに共用させる請求項７ないし請求項９いずれかに記載の統合化部品表作成方法。
【請求項１１】
生産基本情報マスタには、前記生産基本情報の世代を区分する部品表形成時点および部品表離脱時点が時系列に格納され、前記構成マスタには、前記２項関係および３項関係の世代を区分する部品表形成時点および部品表離脱時点が時系列に格納され、
前記統合化部品表作成プロセスが、２項関係および３項関係の部品表形成時点および部品表離脱時点を参照しつつ、過去から現在までの任意の時点における統合化部品表の作成に必要な各種複数の前記２項関係および３項関係を前記構成マスタから抽出し、前記構成マスタから抽出した２項関係および３項関係を統合し、統合したそれら関係に従って、前記生産基本情報マスタから抽出した生産基本情報をその上位から下位に向かって一連につなげることで過去から現在までの任意の時点における物品の統合化部品表を作成する請求項７ないし請求項１０いずれかに記載の統合化部品表作成方法。
【請求項１２】
前記関係共用プロセスが、所定物品の前記２項関係および前記３項関係の世代が交代すると、世代が交代した所定物品の前記２項関係と前記３項関係とのうち、他物品に適用可能な２項関係および３項関係を該所定物品と該他物品とに共用させる請求項１１記載の統合化部品表作成方法。
【発明の詳細な説明】
【技術分野】
【０００１】
本発明は、各種複数の生産基本情報をその上位から下位に向かって一連につなげることで物品の統合化部品表を作成する統合化部品表作成システムおよび統合化部品表作成方法に関する。
【背景技術】
【０００２】
機械装置を構成する各種複数の部品をツリー構造に展開することで、機械装置の構成表を作成する生産管理システムがある（特許文献１参照）。このシステムは、機械装置のデータ番号を０００とし、その直近下位に連なる第１部品の第１部品番号を１００，２００，３００・・・とするとともに、第１部品番号１００の直近下位に連なる第２部品の第２部品番号を１１０，１２０，１３０・・・とし、第２部品番号１１０の直近下位に連なる第３部品の第３部品番号を１１１，１１２，１１３・・・とする。なお、第１部品番号２００に連なる第２部品番号は、２１０，２２０，２３０・・・であり、第１部品番号３００に連なる第２部品番号は、３１０，３２０，３３０・・・である。また、第２部品番号２１０に連なる第３部品番号は、２１１，２１２，２１３・・・であり、第２部品番号３１０に連なる第３部品番号は、３１１，３１２，３１３・・・である。このシステムは、機械装置のデータ番号に第１部品番号をつなげ、第１部品番号に第２部品番号をつなげるとともに、第２部品番号に第３部品番号をつなげることで、機械装置を形成する複数の部品をツリー構造として展開することができる。
【特許文献１】特開２００４−６２５２６号公報
【発明の開示】
【発明が解決しようとする課題】
【０００３】
前記公報に開示の生産管理システムでは、機械装置の構成部品を部品番号で管理しており、部品番号によって特定された第１〜第３部品が番号順に並ぶから、第１部品の直近下位に特定の第２部品が連なり、その第２部品の直近下位に特定の第３部品が連なることになる。したがって、このシステムでは、ツリー状に並ぶ第１〜第３部品が一義的に定義され、第１部品の下位に異なる種類の部品を配置することや第２部品の下位に異なる種類の部品を配置することができないのみならず、部品以外の生産基本情報を組み入れることができず、異なる種類の生産基本情報を自由に組み合わせた構成表を作成することができない。また、このシステムでは、共通部品を共用した構成表や共通部品を流用した構成表を作成することができず、共通部品にそれぞれ別の部品番号を付けて構成表を作成しなければならないから、部品表の作成効率が著しく低下する。
【０００４】
本発明の目的は、各種複数の生産基本情報を上位から下位に向かって自由に組み合わせた多種多様な統合化部品表を作成することができる統合化部品表作成システムおよび統合化部品表作成方法を提供することにある。本発明の他の目的は、各種物品の統合化部品表を効率的に作成することができる統合化部品表作成システムおよび統合化部品表作成方法を提供することにある。
【課題を解決するための手段】
【０００５】
前記課題を解決するための本発明の前提は、各種複数の生産基本情報をその上位から下位に向かって一連につなげることで物品の統合化部品表を作成する統合化部品表作成システムである。
【０００６】
前記前提における本発明の特徴としては、生産基本情報が、任意の第１生産基本情報と第１生産基本情報の直近下位に連なる第２生産基本情報との２項関係によって連繋するとともに、任意の第１生産基本情報と第１生産基本情報の直近下位に連なる第２生産基本情報と第２生産基本情報の直近下位に連なる第３生産基本情報との３項関係によって連繋し、統合化部品表作成システムが、各種複数の生産基本情報を格納した生産基本情報マスタと、各種複数の２項関係および各種複数の３項関係を格納した構成マスタとを備え、統合化部品表作成システムは、構成マスタから抽出した２項関係および３項関係を統合し、統合したそれら関係に従って、生産基本情報マスタから抽出した生産基本情報をその上位から下位に向かって一連につなげることで物品の統合化部品表を作成する統合化部品表作成手段と、所定物品の２項関係と３項関係とのうち、他物品に適用可能な２項関係および３項関係を所定物品と他物品とに共用させる関係共用手段と、所定物品の２項関係と３項関係とのうち、他物品に流用可能な２項関係および３項関係を所定物品から他物品に流用する関係流用手段とを有することにある。
【０００７】
前記統合化部品表作成システムの一例としては、関係共用手段が、所定物品の２項関係および３項関係を形成する第１〜第３生産基本情報のうちの少なくとも１つが変更されると、変更された生産基本情報を含む所定物品の２項関係と３項関係とのうち、他物品に適用可能な２項関係および３項関係を所定物品と他物品とに共用させる。
【０００８】
前記統合化部品表作成システムの他の一例としては、関係共用手段が、所定物品の２項関係と３項関係との少なくとも一方に第２生産基本情報と第３生産基本情報との少なくとも１つが追加されると、追加された生産基本情報を含む所定物品の２項関係と３項関係とのうち、他物品に適用可能な２項関係および３項関係を所定物品と他物品とに共用させる。
【０００９】
前記統合化部品表作成システムの他の一例としては、関係共用手段が、所定物品の２項関係および３項関係を形成する第２生産基本情報と第３生産基本情報との少なくとも１つが削除されると、削除された生産基本情報を除く所定物品の２項関係と３項関係とのうち、他物品に適用可能な２項関係および３項関係を所定物品と他物品とに共用させる。
【００１０】
前記統合化部品表作成システムの他の一例として、生産基本情報マスタには生産基本情報の世代を区分する部品表形成時点および部品表離脱時点が時系列に格納され、構成マスタには２項関係および３項関係の世代を区分する部品表形成時点および部品表離脱時点が時系列に格納され、統合化部品表作成手段が、２項関係および３項関係の部品表形成時点および部品表離脱時点を参照しつつ、過去から現在までの任意の時点における統合化部品表の作成に必要な各種複数の２項関係および３項関係を構成マスタから抽出し、構成マスタから抽出した２項関係および３項関係を統合し、統合したそれら関係に従って、生産基本情報マスタから抽出した生産基本情報をその上位から下位に向かって一連につなげることで過去から現在までの任意の時点における物品の統合化部品表を作成する。
【００１１】
前記統合化部品表作成システムの他の一例としては、関係共用手段が、所定物品の２項関係および３項関係の世代が交代すると、世代が交代した所定物品の２項関係と３項関係とのうち、他物品に適用可能な２項関係および３項関係を所定物品と他物品とに共用させる。
【００１２】
前記課題を解決するための本発明の他の前提は、コンピュータ資源を利用し、各種複数の生産基本情報をその上位から下位に向かって一連につなげることで物品の統合化部品表を作成する統合化部品表作成方法である。
【００１３】
前記前提における本発明の特徴は、統合化部品表作成方法が、各種複数の生産基本情報を格納した生産基本情報マスタと、任意の第１生産基本情報と第１生産基本情報の直近下位に連なる第２生産基本情報との２項関係によって連繋する生産基本情報の各種複数の２項関係を格納し、任意の第１生産基本情報と第１生産基本情報の直近下位に連なる第２生産基本情報と第２生産基本情報の直近下位に連なる第３生産基本情報との３項関係によって連繋する生産基本情報の各種複数の３項関係を格納した構成マスタとを含み、統合化部品表作成方法は、構成マスタから抽出した２項関係および３項関係を統合し、統合したそれら関係に従って、生産基本情報マスタから抽出した生産基本情報をその上位から下位に向かって一連につなげることで物品の統合化部品表を作成する統合化部品表作成プロセスと、所定物品の２項関係と３項関係とのうち、他物品に適用可能な２項関係および３項関係を所定物品と他物品とに共用させる関係共用プロセスと、所定物品の２項関係と３項関係とのうち、他物品に流用可能な２項関係および３項関係を所定物品から他物品に流用する関係流用プロセスとを実行することにある。
【００１４】
前記統合化部品表作成方法の一例としては、関係共用プロセスが、所定物品の２項関係および３項関係を形成する第１〜第３生産基本情報のうちの少なくとも１つが変更されると、変更された生産基本情報を含む所定物品の２項関係と３項関係とのうち、他物品に適用可能な２項関係および３項関係を所定物品と他物品とに共用させる。
【００１５】
前記統合化部品表作成方法の他の一例としては、関係共用プロセスが、所定物品の２項関係と３項関係との少なくとも一方に第２生産基本情報と第３生産基本情報との少なくとも１つが追加されると、追加された生産基本情報を含む所定物品の２項関係と３項関係とのうち、他物品に適用可能な２項関係および３項関係を所定物品と他物品とに共用させる。
【００１６】
前記統合化部品表作成方法の他の一例としては、関係共用プロセスが、所定物品の２項関係および３項関係を形成する第２生産基本情報と第３生産基本情報との少なくとも１つが削除されると、削除された生産基本情報を除く所定物品の２項関係と３項関係とのうち、他物品に適用可能な２項関係および３項関係を所定物品と他物品とに共用させる。
【００１７】
前記統合化部品表作成方法の他の一例として、生産基本情報マスタには生産基本情報の世代を区分する部品表形成時点および部品表離脱時点が時系列に格納され、構成マスタには２項関係および３項関係の世代を区分する部品表形成時点および部品表離脱時点が時系列に格納され、統合化部品表作成プロセスが、２項関係および３項関係の部品表形成時点および部品表離脱時点を参照しつつ、過去から現在までの任意の時点における統合化部品表の作成に必要な各種複数の２項関係および３項関係を前記構成マスタから抽出し、構成マスタから抽出した２項関係および３項関係を統合し、統合したそれら関係に従って、生産基本情報マスタから抽出した生産基本情報をその上位から下位に向かって一連につなげることで過去から現在までの任意の時点における物品の統合化部品表を作成する。
【００１８】
前記統合化部品表作成方法の他の一例としては、関係共用プロセスが、所定物品の２項関係および３項関係の世代が交代すると、世代が交代した所定物品の２項関係と３項関係とのうち、他物品に適用可能な２項関係および３項関係を所定物品と他物品とに共用させる。
【発明の効果】
【００１９】
本発明にかかる統合化部品表作成システムおよび統合化部品表作成方法によれば、構成マスタから抽出した各種複数の２項関係および３項関係を統合し、統合した２項関係および３項関係に従って、生産基本情報マスタから抽出した各種複数の生産基本情報を上位から下位に向かって一連につなげることで各種物品に対応する統合化部品表を作成するから、第１生産基本情報および第２生産基本情報から形成された２項関係や第１〜第３生産基本情報から形成された３項関係を利用することで、各種複数の生産基本情報を自由に組み合わせた多種多様な統合化部品表を作ることができる。統合化部品表作成システムおよび統合化部品表作成方法は、所定物品の２項関係と３項関係とのうち、他物品に適用可能な２項関係および３項関係を所定物品と他物品とに共用させ、共通の２項関係や３項関係を所定物品と他物品とに一元的に適用するから、共通の２項関係や３項関係を所定物品と他物品とにそれぞれ別に設定する必要はなく、各種物品の統合化部品表を効率的に作成することができる。この統合化部品表作成システムおよび統合化部品表作成方法は、所定物品の２項関係と３項関係とのうち、他物品に流用可能な２項関係および３項関係を所定物品から他物品に流用するから、２項関係や３項関係を他物品にあらたに設定する必要はなく、各種物品の統合化部品表を効率的に作成することができる。
【００２０】
所定物品の２項関係および３項関係を形成する第１〜第３生産基本情報のうちの少なくとも１つが変更されると、変更された生産基本情報を含む所定物品の２項関係と３項関係とのうち、他物品に適用可能な２項関係および３項関係を所定物品と他物品とに共用させる統合化部品表作成システムおよび統合化部品表作成方法は、変更された生産基本情報を含む２項関係および３項関係のうちの所定物品と他物品とに共通の関係をそれら物品に一元的に適用するから、共通の２項関係や３項関係を所定物品と他物品とにそれぞれ別に設定する必要はなく、各種物品の統合化部品表を効率的に作成することができる。
【００２１】
所定物品の２項関係と３項関係との少なくとも一方に第２生産基本情報と第３生産基本情報との少なくとも１つが追加されると、追加された生産基本情報を含む所定物品の２項関係と３項関係とのうち、他物品に適用可能な２項関係および３項関係を所定物品と他物品とに共用させる統合化部品表作成システムおよび統合化部品表作成方法は、追加された生産基本情報を含む２項関係および３項関係のうちの所定物品と他物品とに共通の関係をそれら物品に一元的に適用するから、共通の２項関係や３項関係を所定物品と他物品とにそれぞれ別に設定する必要はなく、各種物品の統合化部品表を効率的に作成することができる。
【００２２】
所定物品の２項関係および３項関係を形成する第２生産基本情報と第３生産基本情報との少なくとも１つが削除されると、削除された生産基本情報を除く所定物品の２項関係と３項関係とのうち、他物品に適用可能な２項関係および３項関係を所定物品と他物品とに共用させる統合化部品表作成システムおよび統合化部品表作成方法は、削除された生産基本情報を除く２項関係および３項関係のうちの所定物品と他物品とに共通の関係をそれら物品に一元的に適用するから、共通の２項関係や３項関係を所定物品と他物品とにそれぞれ別に設定する必要はなく、各種物品の統合化部品表を効率的に作成することができる。
【００２３】
過去から現在までの任意の時点における物品の統合化部品表を作成する統合化部品表作成システムおよび統合化部品表作成方法は、生産基本情報の部品表形成時点および部品表離脱時点を格納することで、生産基本情報を過去から現在に向かって時系列に管理することができ、２項関係および３項関係の部品表形成時点および部品表離脱時点を格納することで、２項関係および３項関係を過去から現在に向かって時系列に管理することができるから、現在のみならず、過去の任意の時点における統合化部品表を現在において作成することができる。
【００２４】
所定物品の２項関係および３項関係の世代が交代すると、世代が交代した所定物品の２項関係と３項関係とのうち、他物品に適用可能な２項関係および３項関係を所定物品と他物品とに共用させる統合化部品表作成システムおよび統合化部品表作成方法は、世代が交代した２項関係および３項関係とのうちの所定物品と他物品とに共通の関係をそれら物品に一元的に適用するから、共通の２項関係や３項関係を所定物品と他物品とにそれぞれ別に設定する必要はなく、各種物品の統合化部品表を効率的に作成することができる。
【発明を実施するための最良の形態】
【００２５】
添付の図面を参照し、本発明に係る統合化部品表作成システムおよび統合化部品表作成方法の詳細を説明すると、以下のとおりである。図１は、統合化部品表作成方法を実行する一例として示す統合化部品表作成システム１０の概略構成図である。統合化部品表作成システム１０は、管理コンピュータ１１と、コンピュータ１１にインターフェイス（有線または無線）を介して接続された生産基本情報マスタ１２および構成マスタ１３とから形成されている。
【００２６】
生産基本情報は、物品の製造に必要不可欠な各種複数の技術情報（技術エレメント）であり、この実施の形態では、生産基本情報として物品、拠点、工程、部品を例示している。ただし、図示の生産基本情報は一例であり、生産基本情報をそれらに限定するものではない。生産基本情報には、物品の技術情報となる全てのそれらが含まれる。物品や部品は品目情報、拠点は拠点情報であり、工程は工程情報である。なお、物品には、完成品のみならず、半完成品も含まれる。
【００２７】
生産基本情報には、それら生産基本情報をその種類毎に区分するデータ区分番号（第１〜第ｎデータ区分番号）が個別に設定される。品目情報に属する生産基本情報には、品目データ区分番号（第１データ区分番号，ＰＣ００１）が設定され、拠点情報に属する生産基本情報には、拠点データ区分番号（第２データ区分番号，ＰＣ００２）が設定される。工程情報に属する生産基本情報には、工程データ区分番号（第３データ区分番号，ＰＣ００３）が設定される。なお、生産基本情報が属する生産基本情報項目を品目や工程、拠点に限定するものではない。生産基本情報が属する生産基本情報項目には物品を製造するために必要な他の全てのそれが含まれ、他の生産基本情報項目にはそれを特定する第４〜第ｎデータ区分番号が設定される。
【００２８】
それら生産基本情報は、任意の第１生産基本情報（親生産基本情報）と第１生産基本情報の直近下位に連なる第２生産基本情報（子生産基本情報）との上下の２項関係によって連繋するとともに、任意の第１生産基本情報（親生産基本情報）と第１生産基本情報の直近下位に連なる第２生産基本情報（中間生産基本情報）と第２生産基本情報の直近下位に連なる第３生産基本情報（子生産基本情報）との上下の３項関係によって連繋する。
【００２９】
管理コンピュータ１１は、中央処理装置（ＣＰＵまたはＭＰＵ）と記憶装置（メモリ）とを有し、大容量ハードディスクを内蔵している。コンピュータ１１には、図示はしていないが、キーボードやマウス等の入力装置、ディスプレイやプリンタ等の出力装置がインターフェイスを介して接続されている。記憶装置の内部アドレスファイルには、このシステム１０の各手段（各プロセス）を実行するための統合化部品表作成アプリケーションが格納されている。統合化部品表作成アプリケーションは、それを記憶したＣＤ−ＲＯＭ等の光ディスク（記憶媒体）からコンピュータ１１の記憶装置にインストールされる。なお、記憶媒体には、光ディスクの他に半導体メモリや磁気ディスクを使用することもできる。
【００３０】
コンピュータ１１に統合化部品表作成アプリケーションがインストールされると、コンピュータ１１の記憶装置またはコンピュータ１１に内蔵されたハードディスクには、品目、拠点、工程等の生産基本情報項目のひな型、それら生産基本情報項目に属する各種複数の生産基本情報のひな型、それら生産基本情報項目に対応するデータ区分番号が格納される。さらに、コンピュータ１１に内蔵されたハードディスクには、生産基本情報マスタ１２（品目マスタ１３，拠点マスタ１４，工程マスタ１５）と構成マスタ１３とが作成される。コンピュータ１１は、必要な情報を記憶装置やハードディスク、生産基本情報マスタ１２、構成マスタ１３から抽出し、必要に応じて情報を記憶装置やハードディスク、生産基本情報マスタ１２、構成マスタ１３に格納する。
【００３１】
なお、このシステム１０では、既存の生産基本情報項目や生産基本情報の他に、新規の生産基本情報項目や新規の産基本情報を自由に設定することができ、それら新規の生産基本情報項目や新規の生産基本情報を使用して統合化部品表を作ることもできる。新規の生産基本情報項目や新規の生産基本情報は、入力装置からコンピュータ１１に入力し、コンピュータ１１の記憶装置やハードディスクに格納する。システム１０では、既存の生産基本情報項目や生産基本情報を記憶装置やハードディスクから削除することもでき、あらたに作成した新規の生産基本情報項目や新規の生産基本情報を記憶装置やハードディスクから削除することもできる。
【００３２】
コンピュータ１１の中央処理装置は、記憶装置の内部アドレスファイルに格納された統合化部品表作成アプリケーションを起動し、アプリケーションに従って、所定物品の２項関係と３項関係とのうち、他物品に適用可能な２項関係および３項関係を所定物品と他物品とに共用させる関係共用手段（関係共用プロセス）、所定物品の２項関係と３項関係とのうち、他物品に流用可能な２項関係および３項関係を所定物品から他物品に流用する関係流用手段（関係流用プロセス）を実行する。
【００３３】
コンピュータ１１の中央処理装置は、各種複数の２項関係を統合する２項関係統合手段（２項関係統合プロセス）、各種複数の３項関係を統合する３項関係統合手段（３項関係統合プロセス）、各種複数の２項関係と３項関係とを統合する２項３項関係統合手段（２項３項関係統合プロセス）を実行する。さらに、統合した関係に基づいて各物品に対応する統合化部品表をリアルタイムに作成する統合化部品表作成手段（統合化部品表作成プロセス）、統合化部品表作成手段によって作成した統合化部品表をその記憶装置またはハードディスクに格納する統合化部品表格納手段（統合化部品表格納プロセス）、統合化部品表作成手段によって作成した統合化部品表を出力装置を介して出力する統合化部品表出力手段（統合化部品表出力プロセス）を実行する。
【００３４】
生産基本情報マスタ１２は、各種複数の生産基本情報、生産基本情報の開始日（部品表開始時点）および終了日（部品表終了時点）を一元的かつ時系列に管理する。構成マスタ１３は、２項関係および３項関係、２項関係の開始日（部品表開始時点）および終了日（部品表終了時点）、３項関係の開始日（部品表開始時点）および終了日（部品表終了時点）を一元的かつ時系列に管理する。生産基本情報マスタ１２や構成マスタ１３は、コンピュータ１１からの情報転送指令に基づいて各情報をコンピュータ１１に転送し、コンピュータ１１からの情報格納指令に基づいて各情報を格納する。
【００３５】
生産基本情報マスタ１２は、第１データ区分番号（ＰＣ００１）が設定された品目情報を格納する品目マスタ１４と、第２データ区分番号（ＰＣ００２）が設定された拠点情報を格納する拠点マスタ１５と、第３データ区分番号（ＰＣ００３）が設定された工程情報を格納する工程マスタ１６とから形成されている。なお、生産基本情報マスタ１２をそれらマスタ１４，１５，１６に限定するものではなく、物品の製造に必要不可欠な他の生産基本情報をその種類毎に区分して格納した他の第４〜第ｎ生産基本情報マスタがハードディスクに設定される場合もある。
【００３６】
図２，３は、品目マスタ１４(生産基本情報マスタ１２)に格納された各種複数の品目情報（生産基本情報）の一例を示す図である。品目マスタ１４に品目情報を格納する手順の一例を説明すると、以下のとおりである。なお、物品（Ａ１）、物品（Ｂ１）、物品（Ｃ１）、物品（Ｄ１）、部品（ａ１）、部品（ｂ１）、部品（ｃ１）、部品（ｄ１）の各品目情報は、２００７年４月１日の情報であり、物品（Ａ２）、物品（Ｂ２）、物品（Ｃ２）、部品（ａ２）、部品（ｂ２）、部品（ｄ２）の各品目情報は、２００７年７月１日の情報である。
【００３７】
コンピュータ１１を起動すると、それに接続されたディスプレイに生産基本情報マスタと構成マスタとの選択画面が表示される（図示せず）。生産基本情報マスタを選択するとともに新規設定を選択すると、ディスプレイに各種複数の生産基本情報項目が表示される。生産基本情報項目から品目を選択すると、ディスプレイには、品目入力エリア、品目情報の部品表の形成時点である開始日（開始時点）入力エリア、品目情報の部品表からの離脱時点である終了日（終了時点）入力エリアが表示される。入力装置によって品目入力エリアに物品（Ａ１）、物品（Ｂ１）、物品（Ｃ１）、物品（Ｄ１）、部品（ａ１）、部品（ｂ１）、部品（ｃ１）とそれらの製番（＊，φ）、それらを特定する品番（Ａ１）、（Ｂ１）、（Ｃ１）、（Ｄ１）、（ａ１）、（ｂ１）、（ｃ１）（生産基本情報識別番号）を入力するとともに、開始日入力エリアにそれらの開始日（２００７年４月１日）を入力する。なお、４月１日では、（Ａ１）、物品（Ｂ１）、物品（Ｃ１）、物品（Ｄ１）、部品（ａ１）、部品（ｂ１）、部品（ｃ１）の終了日は確定していないから、終了日入力エリアに終了日は入力されない。
【００３８】
コンピュータ１１は、記憶装置またはハードディスクに格納された生産基本情報項目、生産基本情報、データ区分番号を参照し、物品（Ａ１）、物品（Ｂ１）、物品（Ｃ１）、物品（Ｄ１）、部品（ａ１）、部品（ｂ１）、部品（ｃ１）が生産基本情報項目のうちの品目であると判断し、それらに品目データ区分（ＰＣ００１）を設定する。コンピュータ１１は、物品（Ａ１）、物品（Ｂ１）、物品（Ｃ１）、物品（Ｄ１）、部品（ａ１）、部品（ｂ１）、部品（ｃ１）と品目データ区分（ＰＣ００１）、製番（＊，φ）、品番（Ａ１）、（Ｂ１）、（Ｃ１）、（Ｄ１）、（ａ１）、（ｂ１）、（ｃ１）、開始日（２００７年４月１日）および終了日（−）を品目マスタ１４に格納する。物品の生産基本情報には、物品（Ａ１）、物品（Ｂ１）、物品（Ｃ１）、物品（Ｄ）の名称、使用説明、耐久年数等が含まれ、部品の生産基本情報には、部品（ａ１）、部品（ｂ１）、部品（ｃ１）の名称、使用説明、耐久年数等が含まれる。
【００３９】
４月３０日では、品目マスタ１４から部品（ｃ１）が削除され、部品（ｄ１）が追加されている。生産基本情報マスタを選択するとともに情報改変を選択すると、ディスプレイに各種複数の生産基本情報項目が表示される。生産基本情報項目から品目を選択すると、ディスプレイには、変更前品目入力エリア、変更後品目入力エリア、削除品目入力エリア、追加品目入力エリア、変更追加品目の開始日入力エリア、変更追加品目の終了日入力エリアが表示される。入力装置によって削除品目入力エリアに部品（ｃ１）とその製番（＊，φ）、それを特定する品番（ｃ１）を入力するとともに、追加品目入力エリアに部品（ｄ１）とその製番（＊）、それを特定する品番（ｄ１）、開始日入力エリアに部品（ｄ１）の開始日（２００７年４月１日）を入力する。
【００４０】
コンピュータ１１は、部品（ｃ１）に関する品目情報を品目マスタ１４から削除し、部品（ｄ１）に関する品目情報を品目マスタ１４に追加する。コンピュータ１１は、部品（ｄ１）が生産基本情報項目のうちの品目であると判断し、それに品目データ区分（ＰＣ００１）を設定する。コンピュータ１１は、部品（ｄ１）と品目データ区分（ＰＣ００１）、製番（＊）、品番（ｄ１）、開始日（２００７年４月１日）および終了日（−）を品目マスタ１４に格納する。部品の生産基本情報には、部品（ｄ１）の名称、使用説明、耐久年数等が含まれる。
【００４１】
７月１日では、物品（Ａ１）、物品（Ｂ１）、物品（Ｃ１）、部品（ａ１）、部品（ｂ１）、部品（ｄ１）の世代が終了し、品目情報が物品（Ａ２）、物品（Ｂ２）、物品（Ｃ２）、部品（ａ２）、部品（ｂ２）、部品（ｄ２）に世代交代している。世代とは開示日（開始時点）から終了日（終了時点）までの生産基本情報の区切りであり、開示日から終了日までが生産基本情報の１世代である。世代交代の手順の一例を説明すると、以下のとおりである。ディスプレイにおいて生産基本情報マスタを選択するとともに情報世代設定を選択すると、ディスプレイには、各種複数の生産基本情報項目が表示される。生産基本情報項目から品目を選択すると、ディスプレイには、品目入力エリア、開始日入力エリアおよび終了日入力エリアが表示され、さらに、終了対象品目入力エリアおよび終了対象品目終了日入力エリアが表示される。
【００４２】
入力装置によって品目入力エリアに物品（Ａ２）、物品（Ｂ２）、物品（Ｃ２）、部品（ａ２）、部品（ｂ２）、部品（ｄ２）とそれらの製番（＊）、それらを特定する品番（Ａ２）、（Ｂ２）、（Ｃ２）、（ａ２）、（ｂ２）、（ｄ２）を入力し、開始日入力エリアにそれらの開始日（２００７年７月１日）を入力する。さらに、終了対象品目入力エリアに物品（Ａ１）、物品（Ｂ１）、物品（Ｃ１）、部品（ａ１）、部品（ｂ１）、部品（ｄ１）とそれらの製番（＊）、それらを特定する品番（Ａ１）、（Ｂ１）、（Ｃ１）、（ａ１）、（ｂ１）、（ｄ１）を入力し、終了対象品目終了日入力エリアにそれらの終了日（２００７年６月３０日）を入力する。なお、７月１日では、物品（Ａ２）、物品（Ｂ２）、物品（Ｃ２）、部品（ａ２）、部品（ｂ２）、部品（ｄ２）の終了日は確定していないから、終了日入力エリアに終了日は入力されない。物品（Ａ１）、物品（Ｂ１）、物品（Ｃ１）、部品（ａ１）、部品（ｂ１）、部品（ｄ１）は、終了日の設定によって２００７年６月３０日で統合化部品表を形成する生産基本情報から外れる（離脱）。
【００４３】
コンピュータ１１は、記憶装置またはハードディスクに格納された生産基本情報項目、生産基本情報、データ区分番号を参照し、物品（Ａ２）、物品（Ｂ２）、物品（Ｃ２）、部品（ａ２）、部品（ｂ２）、部品（ｄ２）が生産基本情報項目のうちの品目であると判断し、それらに品目データ区分（ＰＣ００１）を設定する。コンピュータ１１は、物品（Ａ２）、物品（Ｂ２）、物品（Ｃ２）、部品（ａ２）、部品（ｂ２）、部品（ｄ２）と品目データ区分（ＰＣ００１）、製番（＊）、品番（Ａ２）、（Ｂ２）、（Ｃ２）、（ａ２）、（ｂ２）、（ｄ２）、開始日（２００７年７月１日）および終了日（−）を品目マスタ１４に格納する。物品の生産基本情報には、物品（Ａ２）、物品（Ｂ２）、物品（Ｃ２）の名称、使用説明、耐久年数等が含まれ、部品の生産基本情報には、部品（ａ２）、部品（ｂ２）、部品（ｄ２）の名称、使用説明、耐久年数等が含まれる。
【００４４】
図４は、拠点マスタ１５(生産基本情報マスタ１２)に格納された各種複数の拠点情報（生産基本情報）の一例を示す図である。なお、拠点（α１）や拠点（β１）の各拠点情報は、２００７年４月１日の情報であり、拠点（β２）の拠点情報は、２００７年７月１日の情報である。生産基本情報マスタを選択するとともに新規設定を選択した後、生産基本情報項目から拠点を選択すると、ディスプレイには、拠点入力エリア、拠点情報の統合化部品表の形成時点である開始日入力エリア、拠点情報の統合化部品表からの離脱時点である終了日入力エリアが表示される。入力装置によって拠点入力エリアに拠点（α１）とその製番（＊，φ）、それを特定する品番（α１）を入力するとともに、開始日入力エリアにそれの開始日（２００７年４月１日）を入力する。
【００４５】
コンピュータ１１は、拠点（α１）が生産基本情報項目のうちの拠点であると判断し、それに拠点データ区分（ＰＣ００２）を設定する。コンピュータ１１は、拠点（α１）と拠点データ区分（ＰＣ００２）、製番（＊，φ）、品番（α１）、開始日（２００７年４月１日）および終了日（−）を拠点マスタ１５に格納する。拠点の生産基本情報には、拠点（α１）の名称、住所、案内図等が含まれる。
【００４６】
４月３０日では、拠点（α１）が拠点（β１）に変更されている。生産基本情報マスタを選択するとともに情報改変を選択した後、生産基本情報項目から拠点を選択すると、ディスプレイには、変更前拠点入力エリア、変更後拠点入力エリア、削除拠点入力エリア、追加拠点入力エリア、変更追加拠点の開始日入力エリア、変更追加拠点の終了日入力エリアが表示される。入力装置によって変更前拠点入力エリアに拠点（α１）とその製番（＊，φ）、それを特定する品番（α１）を入力するとともに、変更後拠点入力エリアに拠点（β１）とその製番（＊）、それを特定する品番（β１）、開始日入力エリアに拠点（β１）の開始日（２００７年４月１日）を入力する。
【００４７】
コンピュータ１１は、拠点（α１）に関する拠点情報を拠点（β１）に関する拠点情報に変更する。コンピュータ１１は、拠点（β１）が生産基本情報項目のうちの拠点であると判断し、それに拠点データ区分（ＰＣ００２）を設定する。コンピュータ１１は、拠点（β１）と拠点データ区分（ＰＣ００２）、製番（＊）、品番（β１）、開始日（２００７年４月１日）および終了日（−）を拠点マスタ１５に格納する。拠点の生産基本情報には、拠点（β１）の名称、住所、案内図等が含まれる。
【００４８】
７月１日では、拠点（β１）の世代が終了し、拠点情報が拠点（β２）に世代交代している。生産基本情報マスタを選択するとともに情報世代設定を選択した後、生産基本情報項目から拠点を選択すると、ディスプレイには、拠点入力エリア、開始日入力エリアおよび終了日入力エリアが表示され、さらに、終了対象拠点入力エリアおよび終了対象拠点終了日入力エリアが表示される。入力装置によって拠点入力エリアに拠点（β２）とその製番（＊）、それを特定する品番（β２）を入力し、開始日入力エリアにそれの開始日（２００７年７月１日）を入力する。さらに、終了対象拠点入力エリアに拠点（β１）とその製番（＊）、それを特定する品番（β１）を入力し、終了対象拠点終了日入力エリアにそれの終了日（２００７年６月３０日）を入力する。なお、７月１日では、拠点（β２）の終了日は確定していないから、終了日入力エリアに終了日は入力されない。拠点（β１）は、終了日の設定によって２００７年６月３０日で統合化部品表を形成する生産基本情報から外れる。
【００４９】
コンピュータ１１は、拠点（β２）が生産基本情報項目のうちの拠点であると判断し、それに拠点データ区分（ＰＣ００２）を設定する。コンピュータ１１は、拠点（β２）と拠点データ区分（ＰＣ００２）、製番（＊）、品番（β２）、開始日（２００７年７月１日）および終了日（−）を拠点マスタ１５に格納する。拠点の生産基本情報には、拠点（β２）の名称、住所、案内図等が含まれる。
【００５０】
図５は、工程マスタ１６(生産基本情報マスタ１２)に格納された各種複数の工程情報（生産基本情報）の一例を示す図である。なお、工程（Ｌ１）や工程（Ｍ１）の各工程情報は、２００７年４月１日の情報であり、工程（Ｍ２）の拠点情報は、２００７年７月１日の情報である。生産基本情報マスタを選択するとともに新規設定を選択した後、生産基本情報項目から工程を選択すると、ディスプレイには、工程入力エリア、工程情報の統合化部品表の形成時点である開始日入力エリア、工程情報の統合化部品表からの離脱時点である終了日入力エリアが表示される。入力装置によって工程入力エリアに工程（Ｌ１）とその製番（＊，φ）、それを特定する品番（Ｌ１）を入力するとともに、開始日入力エリアにそれの開始日（２００７年４月１日）を入力する。
【００５１】
コンピュータ１１は、工程（Ｌ１）が生産基本情報項目のうちの工程であると判断し、それに工程データ区分（ＰＣ００３）を設定する。コンピュータ１１は、工程（Ｌ１）と工程データ区分（ＰＣ００３）、製番（＊，φ）、品番（Ｌ）、開始日（２００７年４月１日）および終了日（−）を工程マスタ１６に格納する。工程の生産基本情報には、工程（Ｌ１）の詳細、工程図面、工程説明等が含まれる。
【００５２】
４月３０日では、工程（Ｌ１）が工程（Ｍ１）に変更されている。生産基本情報マスタを選択するとともに情報改変を選択した後、生産基本情報項目から工程を選択すると、ディスプレイには、変更前工程入力エリア、変更後工程入力エリア、削除工程入力エリア、追加工程入力エリア、変更追加工程の開始日入力エリア、変更追加工程の終了日入力エリアが表示される。入力装置によって変更前工程入力エリアに拠点（Ｌ１）とその製番（＊，φ）、それを特定する品番（Ｌ１）を入力するとともに、変更後工程入力エリアに工程（Ｍ１）とその製番（＊）、それを特定する品番（Ｍ１）、開始日入力エリアに工程（Ｍ１）の開始日（２００７年４月１日）を入力する。
【００５３】
コンピュータ１１は、工程（Ｌ１）に関する情報を工程（Ｍ１）に関する情報に変更する。コンピュータ１１は、工程（Ｍ１）が生産基本情報項目のうちの工程であると判断し、それに工程データ区分（ＰＣ００３）を設定する。コンピュータ１１は、工程（Ｍ１）と工程データ区分（ＰＣ００３）、製番（＊）、品番（Ｍ１）、開始日（２００７年４月１日）および終了日（−）を工程マスタ１６に格納する。工程の生産基本情報には、工程（Ｍ１）の詳細、工程図面、工程説明等が含まれる。
【００５４】
７月１日では、工程（Ｍ１）の世代が終了し、工程情報が工程（Ｍ２）に世代交代している。生産基本情報マスタを選択するとともに情報世代設定を選択した後、生産基本情報項目から工程を選択すると、ディスプレイには、工程入力エリア、開始日入力エリアおよび終了日入力エリアが表示され、さらに、終了対象工程入力エリアおよび終了対象工程終了日入力エリアが表示される。入力装置によって工程入力エリアに工程（Ｍ２）とその製番（＊）、それを特定する品番（Ｍ２）を入力し、開始日入力エリアにそれの開始日（２００７年７月１日）を入力する。さらに、終了対象拠点入力エリアに工程（Ｍ１）とその製番（＊）、それを特定する品番（Ｍ１）を入力し、終了対象拠点終了日入力エリアにそれの終了日（２００７年６月３０日）を入力する。なお、７月１日では、工程（Ｍ２）の終了日は確定していないから、終了日入力エリアに終了日は入力されない。工程（Ｍ１）は、終了日の設定によって２００７年６月３０日で統合化部品表を形成する生産基本情報から外れる。
【００５５】
コンピュータ１１は、工程（Ｍ２）が生産基本情報項目のうちの工程であると判断し、それに拠点データ区分（ＰＣ００３）を設定する。コンピュータ１１は、工程（Ｍ２）と拠点データ区分（ＰＣ００３）、製番（＊）、品番（Ｍ２）、開始日（２００７年７月１日）および終了日（−）を工程マスタ１６に格納する。工程の生産基本情報には、工程（Ｍ２）の詳細、工程図面、工程説明等が含まれる。
【００５６】
図６〜図９は、構成マスタ１３に格納された生産基本情報どうしの２項関係および３項関係の一例を示す図である。構成マスタ１３には、２項関係（親子関係）および３項関係（親，中間，子関係）が格納される。２項関係により、第１生産基本情報（親生産基本情報）から第２生産基本情報（子生産基本情報）が特定され、第２生産基本情報から第１生産基本情報が特定される。３項関係により、第１生産基本情報（親生産基本情報）から第２生産基本情報（中間生産基本情報）が特定され、第１および第２生産基本情報から第３生産基本情報（子生産基本情報）が特定される。ここで、３項関係を２項関係に変換すると、３項関係の第２生産基本情報（中間生産基本情報）が２項関係の第２生産基本情報（子生産基本情報）になる。換言すると、２項関係の子生産基本情報が３項関係の中間生産基本情報になる。
【００５７】
２００７年４月１日には、物品（Ａ１）、（Ｂ１）、（Ｃ１）と拠点（α１）との２項関係、物品（Ａ１）、（Ｂ１）、（Ｃ１）と拠点（α１）と工程（Ｌ１）との３項関係、物品（Ａ１）、（Ｂ１）、（Ｃ１）と拠点（α１）と部品（ａ１）との３項関係、物品（Ａ１）、（Ｂ１）、（Ｃ１）と拠点（α１）と部品（ｂ１）との３項関係、物品（Ａ１）、（Ｂ１）、（Ｃ１）と拠点（α１）と部品（ｃ１）との３項関係が構成マスタ１３に格納される。さらに、物品（Ｄ１）と拠点（α１）との２項関係、物品（Ｄ１）と拠点（α１）と工程（Ｌ１）との３項関係、物品（Ｄ１）と拠点（α１）と部品（ａ１）との３項関係、物品（Ｄ１）と拠点（α１）と部品（ｂ１）との３項関係、物品（Ｄ１）と拠点（α１）と部品（ｃ１）との３項関係が構成マスタ１３に格納される。
【００５８】
２００７年４月３０日には、２項関係および３項関係が変更され、それによって、物品（Ａ１）、（Ｂ１）、（Ｃ１）と拠点（β１）との２項関係、物品（Ａ１）、（Ｂ１）、（Ｃ１）と拠点（β１）と工程（Ｍ１）との３項関係、物品（Ａ１）、（Ｂ１）、（Ｃ１）と拠点（β１）と部品（ａ１）との３項関係、物品（Ａ１）、（Ｂ１）、（Ｃ１）と拠点（β１）と部品（ｂ１）との３項関係、物品（Ａ１）、（Ｂ１）、（Ｃ１）と拠点（β１）と部品（ｄ１）との３項関係が構成マスタ１３に格納される。
【００５９】
図６〜図９に基づいて生産基本情報どうしの２項関係および３項関係を構成マスタ１３に格納する手順の一例を説明すると、以下のとおりである。コンピュータ１１のディスプレイに表示された選択画面から構成マスタを選択するとともに関係設定を選択すると、ディスプレイには、２項関係入力エリア（１）〜２項関係入力エリア（ｎ）と３項関係入力エリア（１）〜３項関係入力エリア（ｎ）とが表示される。
【００６０】
入力装置によって２項関係入力エリア（１）のうちの親情報（第１生産基本情報）入力エリアに物品（Ａ１）と親製番（＊）、それを特定する親品番（Ａ１）を入力する。２項関係入力エリア（１）のうちの子情報（第２生産基本情報）入力エリアに拠点（α１）と子製番（＊，φ）、それを特定する品番（α１）を入力する。さらに、２項関係入力エリア（１）に対応する関係開始日（関係開始時点）入力エリアに２項関係の開始日（２００７年４月１日）を入力する。４月１日では、それらの２項関係の終了日は確定していないから、関係終了日（関係終了時点）入力エリアに終了日は入力されない。
【００６１】
コンピュータ１１は、記憶装置またはハードディスクに格納された生産基本情報項目、生産基本情報、データ区分番号を参照し、親データ区分としての品目データ区分（ＰＣ００１）を物品（Ａ１）に設定し、子データ区分としての拠点データ区分（ＰＣ００２）を拠点（α１）に設定する。２項関係に関する情報を入力すると、コンピュータ１１は、それら情報を構成マスタ１３に格納する。構成マスタ１３では、物品（Ａ１）と拠点（α１）とが紐付けられ、２項関係に基づいてそれらが連繋する。
【００６２】
入力装置によって３項関係入力エリア（１）のうちの親情報（第１生産基本情報）入力エリアに物品（Ａ１）と親製番（＊）、それを特定する品番（Ａ１）を入力し、３項関係入力エリア（１）のうちの中間情報（第２生産基本情報）入力エリアに拠点（α１）と中間製番（＊，φ）、それを特定する品番（α１）を入力する。さらに、３項関係入力エリア（１）のうちの子情報（第３生産基本情報）入力エリアに工程（Ｌ１）と子製番（＊，φ）、それを特定する品番（Ｌ１）を入力し、３項関係入力エリア（１）に対応する関係開始日（関係開始時点）入力エリアに３項関係の開始日（２００７年４月１日）を入力する。４月１日では、それらの３項関係の終了日は確定していないから、関係終了日（関係終了時点）入力エリアに終了日は入力されない。
【００６３】
コンピュータ１１は、親データ区分としての品目データ区分（ＰＣ００１）を物品（Ａ１）に設定し、中間データ区分としての拠点データ区分（ＰＣ００２）を拠点（α１）に設定するとともに、子データ区分としての工程データ区分（ＰＣ００３）を工程（Ｌ１）に設定する。３項関係に関する情報を入力すると、コンピュータ１１は、それら情報を構成マスタ１３に格納する。構成マスタ１３では、物品（Ａ１）と拠点（α１）と工程（Ｌ１）とが紐付けられ、３項関係に基づいてそれらが連繋する。
【００６４】
入力装置によって３項関係入力エリア（２）のうちの親情報入力エリアに物品（Ａ１）と親製番（＊）、それを特定する品番（Ａ１）を入力し、３項関係入力エリア（１）のうちの中間情報入力エリアに拠点（α１）と中間製番（＊，φ）、それを特定する品番（α１）を入力する。さらに、３項関係入力エリア（１）のうちの子情報入力エリアに部品（ａ１）と子製番（＊，φ）、それを特定する品番（ａ１）を入力し、３項関係入力エリア（２）に対応する関係開始日入力エリアに３項関係の開始日（２００７年４月１日）を入力する。
【００６５】
コンピュータ１１は、親データ区分としての品目データ区分（ＰＣ００１）を物品（Ａ１）に設定し、中間データ区分としての拠点データ区分（ＰＣ００２）を拠点（α１）に設定するとともに、子データ区分としての品目データ区分（ＰＣ００１）を部品（ａ１）に設定する。構成マスタ１３では、物品（Ａ１）と拠点（α１）と部品（ａ１）とが紐付けられ、３項関係に基づいてそれらが連繋する。
【００６６】
入力装置によって３項関係入力エリア（３）のうちの親情報入力エリアに物品（Ａ１）と親製番（＊）、それを特定する品番（Ａ１）を入力し、３項関係入力エリア（１）のうちの中間情報入力エリアに拠点（α１）と中間製番（＊，φ）、それを特定する品番（α１）を入力する。さらに、３項関係入力エリア（１）のうちの子情報入力エリアに部品（ｂ１）と子製番（＊，φ）、それを特定する品番（ｂ１）を入力し、３項関係入力エリア（３）に対応する関係開始日入力エリアに３項関係の開始日（２００７年４月１日）を入力する。
【００６７】
コンピュータ１１は、親データ区分としての品目データ区分（ＰＣ００１）を物品（Ａ１）に設定し、中間データ区分としての拠点データ区分（ＰＣ００２）を拠点（α１）に設定するとともに、子データ区分としての品目データ区分（ＰＣ００１）を部品（ｂ１）に設定する。構成マスタ１３では、物品（Ａ１）と拠点（α１）と部品（ｂ１）とが紐付けられ、３項関係に基づいてそれらが連繋する。
【００６８】
入力装置によって３項関係入力エリア（４）のうちの親情報入力エリアに物品（Ａ１）と親製番（＊）、それを特定する品番（Ａ１）を入力し、３項関係入力エリア（１）のうちの中間情報入力エリアに拠点（α１）と中間製番（＊，φ）、それを特定する品番（α１）を入力する。さらに、３項関係入力エリア（１）のうちの子情報入力エリアに部品（ｃ１）と子製番（＊，φ）、それを特定する品番（ｃ１）を入力し、３項関係入力エリア（４）に対応する関係開始日入力エリアに３項関係の開始日（２００７年４月１日）を入力する。
【００６９】
コンピュータ１１は、親データ区分としての品目データ区分（ＰＣ００１）を物品（Ａ１）に設定し、中間データ区分としての拠点データ区分（ＰＣ００２）を拠点（α１）に設定するとともに、子データ区分としての品目データ区分（ＰＣ００１）を部品（ｃ１）に設定する。構成マスタ１３では、物品（Ａ１）と拠点（α１）と部品（ｃ１）とが紐付けられ、３項関係に基づいてそれらが連繋する。
【００７０】
コンピュータ１１のディスプレイに表示された選択画面から構成マスタを選択するとともに関係共用を選択すると、ディスプレイには、共用元生産基本情報入力エリア、共用元親製番入力エリア、共用元親品番入力エリア、共用先生産基本情報入力エリア、共用先親製番入力エリア、共用先親品番入力エリアが表示される。入力装置によって共用元生産基本情報入力エリアに物品（Ａ１）、共用元親製番入力エリアに製番（＊）、共用元親品番入力エリアに品番（Ａ１）を入力するとともに、共用先生産基本情報入力エリアに物品（Ｂ１）、物品（Ｃ１）、共用先親製番入力エリアに製番（＊）、共用先親品番入力エリアに（Ｂ１）、（Ｃ１）を入力し、共用ボタンをクリックする。
【００７１】
共用ボタンをクリックすると、コンピュータ１１は、親製番（＊）を参照し、中間製番（＊）、子製番（＊）が設定された生産基本情報の２項関係および３項関係を構成マスタから抽出し、物品（Ａ１）と同様の２項関係および３項関係を物品（Ｂ１）、（Ｃ１）に適用する（関係共用手段、関係共用プロセス）。コンピュータ１１は、物品（Ｂ１）と拠点（α１）との２項関係、物品（Ｂ１）と拠点（α１）と工程（Ｌ１）との３項関係、物品（Ｂ１）と拠点（α１）と部品（ａ１）との３項関係、物品（Ｂ１）と拠点（α１）と部品（ｂ１）との３項関係、物品（Ｂ１）と拠点（α１）と部品（ｃ１）との３項関係を構成マスタ１３に格納する。さらに、物品（Ｃ１）と拠点（α１）との２項関係、物品（Ｃ１）と拠点（α１）と工程（Ｌ１）との３項関係、物品（Ｃ１）と拠点（α１）と部品（ａ１）との３項関係、物品（Ｃ１）と拠点（α１）と部品（ｂ１）との３項関係、物品（Ｃ１）と拠点（α１）と部品（ｃ１）との３項関係を構成マスタ１３に格納する。構成マスタ１３では、図６に示すように、物品（Ａ１）の２項関係および３項関係を物品（Ａ１）と物品（Ｂ１）、（Ｃ１）とが共用している。
【００７２】
共用処理が行われた後、構成マスタ１３では、物品（Ａ１）、（Ｂ１）、（Ｃ１）と拠点（α１）とが紐付けられ、２項関係に基づいてそれらが連繋し、物品（Ａ１）、（Ｂ１）、（Ｃ１）と拠点（α１）と工程（Ｌ１）とが紐付けられ、３項関係に基づいてそれらが連繋する。物品（Ａ１）、（Ｂ１）、（Ｃ１）と拠点（α１）と部品（ａ１）とが紐付けられ、３項関係に基づいてそれらが連繋し、物品（Ａ１）、（Ｂ１）、（Ｃ１）と拠点（α１）と部品（ｂ１）とが紐付けられ、３項関係に基づいてそれらが連繋する。物品（Ａ１）、（Ｂ１）、（Ｃ１）と拠点（α１）と部品（ｃ１）とが紐付けられ、３項関係に基づいてそれらが連繋する。
【００７３】
この統合化部品表作成システム１０および統合化部品表作成方法は、物品（Ａ１）（所定物品）の２項関係と３項関係とのうち、物品（Ｂ１）、（Ｃ１）（他物品）に適用可能な２項関係および３項関係を物品（Ａ１）と物品（Ｂ１）、（Ｃ１）とに共用させ、共通の２項関係や３項関係を物品（Ａ１）と物品（Ｂ１）、（Ｃ１）とに一元的に適用するから、共通の２項関係や３項関係を物品（Ａ１）と物品（Ｂ１）、（Ｃ１）とにそれぞれ別に設定する必要はなく、各種物品の統合化部品表を効率的に作成することができる。
【００７４】
コンピュータ１１のディスプレイに表示された選択画面から構成マスタを選択するとともに関係流用を選択すると、ディスプレイには、流用元生産基本情報入力エリア、流用元親製番入力エリア、流用元親品番入力エリア、流用先生産基本情報入力エリア、流用先親製番入力エリア、流用先親品番入力エリアが表示される。入力装置によって流用元生産基本情報入力エリアに物品（Ａ１）、流用元親製番入力エリアに製番（＊）、流用元親品番入力エリアに品番（Ａ１）を入力するとともに、流用先生産基本情報入力エリアに物品（Ｄ１）、流用先親製番入力エリアに製番（φ）、流用先親品番入力エリアに（Ｄ１）を入力し、流用ボタンをクリックする。
【００７５】
流用ボタンをクリックすると、コンピュータ１１は、親製番（φ）を参照し、中間製番（φ）、子製番（φ）が設定された生産基本情報の２項関係および３項関係を構成マスタから抽出し、物品（Ａ１）と同様の２項関係および３項関係を物品（Ｄ１）に流用する（関係流用手段、関係流用プロセス）。コンピュータ１１は、物品（Ｄ１）と拠点（α１）との２項関係、物品（Ｄ１）と拠点（α１）と工程（Ｌ１）との３項関係、物品（Ｄ１）と拠点（α１）と部品（ａ１）との３項関係、物品（Ｄ１）と拠点（α１）と部品（ｂ１）との３項関係、物品（Ｄ１）と拠点（α１）と部品（ｃ１）との３項関係を構成マスタ１３に格納する。構成マスタ１３では、図７に示すように、物品（Ａ１）の２項関係および３項関係を物品（Ｄ１）が流用している。
【００７６】
流用処理が行われた後、構成マスタ１３では、物品（Ｄ１）と拠点（α１）とが紐付けられ、２項関係に基づいてそれらが連繋し、物品（Ｄ１）と拠点（α１）と工程（Ｌ１）とが紐付けられ、３項関係に基づいてそれらが連繋する。物品（Ｄ１）と拠点（α１）と部品（ａ１）とが紐付けられ、３項関係に基づいてそれらが連繋し、物品（Ｄ１）と拠点（α１）と部品（ｂ１）とが紐付けられ、３項関係に基づいてそれらが連繋する。物品（Ｄ１）と拠点（α１）と部品（ｃ１）とが紐付けられ、３項関係に基づいてそれらが連繋する。この統合化部品表作成システム１０および統合化部品表作成方法は、物品（Ａ１）（所定物品）の２項関係と３項関係とのうち、物品（ｄ１）（他物品）に流用可能な２項関係および３項関係を物品（Ａ１）から物品（ｄ１）に流用するから、２項関係や３項関係を物品（ｄ１）にあらたに設定する必要はなく、各種物品の統合化部品表を効率的に作成することができる。
【００７７】
ここで、物品（Ａ１）と拠点（α１）との２項関係、物品（Ａ１）と拠点（α１）と工程（Ｌ１）との３項関係を例として２項関係と３項関係との関連を説明すると、以下のとおりである。物品（Ａ１）と拠点（α１）との２項関係のうちの第２生産基本情報（子生産基本情報）である拠点（α１）が物品（Ａ１）と拠点（α１）と工程（Ｌ１）との３項関係のうちの第２生産基本情報（中間生産基本情報）となる。それにより、物品（Ａ１）と拠点（α１）とのつながりのみならず、拠点（α１）と工程（Ｌ１）とのつながりが決定し、物品（Ａ１）と拠点（α１）とによって工程（Ｌ１）が確定する。ゆえに、物品（Ａ１）と拠点（α１）との２項関係、物品（Ａ１）と拠点（α１）と工程（Ｌ１）との３項関係において、工程（Ｌ１）以外の生産基本情報の組み合わせが排除される（図６参照）。
【００７８】
２００７年４月３０日には、生産基本情報のうち、拠点（α１）が拠点（β１）に変更され、工程（Ｌ１）が工程（Ｍ１）に変更され、さらに、部品（ｃ１）が削除され、部品（ｄ１）が追加されている。それによって構成マスタ１３に格納された２項関係および３項関係が変更される。構成マスタを選択するとともに関係変更を選択すると、コンピュータ１１のディスプレイには、２項関係変更入力エリア（１）〜２項関係変更入力エリア（ｎ）と３項関係変更入力エリア（１）〜３項関係変更入力エリア（ｎ）とが表示される。
【００７９】
入力装置によって２項関係変更入力エリア（１）のうちの親情報（第１生産基本情報）入力エリアに物品（Ａ１）とその親製番（＊）、それを特定する品番（Ａ１）を入力し、子情報（第２生産基本情報）入力エリアに拠点（β１）とその子製番（＊）、それを特定する品番（β１）を入力する。２項関係変更入力エリア（１）に対応する関係開始日入力エリアに変更後の２項関係の開始日（２００７年４月１日）を入力する。さらに、２項関係変更入力エリア（１）のうちの変更前親情報入力エリアに物品（Ａ１）とその親製番（＊）、それを特定する品番（Ａ１）を入力し、変更前子情報入力エリアに拠点（α１）とその子製番（＊）、それを特定する品番（α１）を入力する。
【００８０】
コンピュータ１１は、親データ区分としての品目データ区分（ＰＣ００１）を物品（Ａ１）に設定し、子データ区分としての拠点データ区分（ＰＣ００２）を拠点（β１）に設定する。２項関係の変更に関する情報を入力すると、コンピュータ１１は、それら情報を構成マスタ１３に格納する。構成マスタ１３では、物品（Ａ１）と拠点（β１）とが紐付けられ、２項関係に基づいてそれらが連繋する。
【００８１】
３項関係変更入力エリア（１）のうちの親情報（第１生産基本情報）入力エリアに物品（Ａ１）とその親製番（＊）、それを特定する品番（Ａ１）を入力し、中間情報（第２生産基本情報）入力エリアに拠点（β１）とその子製番（＊）、それを特定する品番（β１）を入力するとともに、子情報（第３生産基本情報）入力エリアに工程（Ｍ１）とその子製番（＊）、それを特定する品番（Ｍ１）を入力する。３項関係変更入力エリア（１）に対応する関係開始日入力エリアに変更後の３項関係の開始日（２００７年４月１日）を入力する。さらに、３項関係変更入力エリア（１）のうちの変更前親情報入力エリアに物品（Ａ１）とその親製番（＊）、それを特定する品番（Ａ１）を入力し、変更前中間情報入力エリアに拠点（α１）とその子製番（＊，φ）、それを特定する品番（α１）を入力するとともに、変更前子情報入力エリアに工程（Ｌ１）とその子製番（＊，φ）、それを特定する品番（Ｌ１）を入力する。
【００８２】
コンピュータ１１は、親データ区分としての品目データ区分（ＰＣ００１）を物品（Ａ１）に設定し、中間データ区分としての拠点データ区分（ＰＣ００２）を拠点（β１）に設定するとともに、子データ区分としての工程データ区分（ＰＣ００３）を工程（Ｍ１）に設定する。３項関係の変更に関する情報を入力すると、コンピュータ１１は、それら情報を構成マスタ１３に格納する。構成マスタ１３では、物品（Ａ１）と拠点（β１）と工程（Ｍ１）とが紐付けられ、３項関係に基づいてそれらが連繋する。
【００８３】
３項関係変更入力エリア（２）のうちの親情報入力エリアに物品（Ａ１）とその親製番（＊）、それを特定する品番（Ａ１）を入力し、中間情報入力エリアに拠点（β１）とその子製番（＊）、それを特定する品番（β１）を入力するとともに、子情報入力エリアに部品（ａ１）とその子製番（＊）、それを特定する品番（ａ１）を入力する。３項関係変更入力エリア（２）に対応する関係開始日入力エリアに変更後の３項関係の開始日（２００７年４月１日）を入力する。さらに、３項関係変更入力エリア（２）のうちの変更前親情報入力エリアに物品（Ａ１）とその親製番（＊）、それを特定する品番（Ａ１）を入力し、変更前中間情報入力エリアに拠点（α１）とその子製番（＊，φ）、それを特定する品番（α１）を入力するとともに、変更前子情報入力エリアに部品（ａ１）とその子製番（＊，φ）、それを特定する品番（ａ１）を入力する。
【００８４】
コンピュータ１１は、親データ区分としての品目データ区分（ＰＣ００１）を物品（Ａ１）に設定し、中間データ区分としての拠点データ区分（ＰＣ００２）を拠点（β１）に設定するとともに、子データ区分としての品目データ区分（ＰＣ００１）を部品（ａ１）に設定する。構成マスタ１３では、物品（Ａ１）と拠点（β１）と部品（ａ１）とが紐付けられ、３項関係に基づいてそれらが連繋する。
【００８５】
３項関係変更入力エリア（３）のうちの親情報入力エリアに物品（Ａ１）とその親製番（＊）、それを特定する品番（Ａ１）を入力し、中間情報入力エリアに拠点（β１）とその子製番（＊）、それを特定する品番（β１）を入力するとともに、子情報入力エリアに部品（ｂ１）とその子製番（＊）、それを特定する品番（ｂ１）を入力する。３項関係変更入力エリア（３）に対応する関係開始日入力エリアに変更後の３項関係の開始日（２００７年４月１日）を入力する。さらに、３項関係変更入力エリア（３）のうちの変更前親情報入力エリアに物品（Ａ１）とその親製番（＊）、それを特定する品番（Ａ１）を入力し、変更前中間情報入力エリアに拠点（α１）とその子製番（＊，φ）、それを特定する品番（α１）を入力するとともに、変更前子情報入力エリアに部品（ｂ１）とその子製番（＊，φ）、それを特定する品番（ｂ１）を入力する。
【００８６】
コンピュータ１１は、親データ区分としての品目データ区分（ＰＣ００１）を物品（Ａ１）に設定し、中間データ区分としての拠点データ区分（ＰＣ００２）を拠点（β１）に設定するとともに、子データ区分としての品目データ区分（ＰＣ００１）を部品（ｂ１）に設定する。構成マスタ１３では、物品（Ａ１）と拠点（β１）と部品（ｂ１）とが紐付けられ、３項関係に基づいてそれらが連繋する。
【００８７】
３項関係変更入力エリア（４）のうちの親情報入力エリアに物品（Ａ１）とその親製番（＊）、それを特定する品番（Ａ１）を入力し、中間情報入力エリアに拠点（β１）とその子製番（＊）、それを特定する品番（β１）を入力するとともに、子情報入力エリアに部品（ｄ１）とその子製番（＊）、それを特定する品番（ｄ１）を入力する。３項関係変更入力エリア（４）に対応する関係開始日入力エリアに変更後の３項関係の開始日（２００７年４月１日）を入力する。さらに、３項関係変更入力エリア（４）のうちの変更前親情報入力エリアに物品（Ａ１）とその親製番（＊）、それを特定する品番（Ａ１）を入力し、変更前中間情報入力エリアに拠点（α１）とその子製番（＊，φ）、それを特定する品番（α１）を入力するとともに、変更前子情報入力エリアに部品（ｃ１）とその子製番（＊，φ）、それを特定する品番（ｃ１）を入力する。
【００８８】
コンピュータ１１は、親データ区分としての品目データ区分（ＰＣ００１）を物品（Ａ１）に設定し、中間データ区分としての拠点データ区分（ＰＣ００２）を拠点（β１）に設定するとともに、子データ区分としての品目データ区分（ＰＣ００１）を部品（ｄ１）に設定する。構成マスタ１３では、物品（Ａ１）と拠点（β１）と部品（ｄ１）とが紐付けられ、３項関係に基づいてそれらが連繋する。
【００８９】
コンピュータ１１のディスプレイに表示された選択画面から構成マスタを選択するとともに関係共用を選択すると、ディスプレイには、共用元生産基本情報入力エリア、共用元親製番入力エリア、共用元親品番入力エリア、共用先生産基本情報入力エリア、共用先親製番入力エリア、共用先親品番入力エリアが表示される。入力装置によって共用元生産基本情報入力エリアに物品（Ａ１）、共用元親製番入力エリアに製番（＊）、共用元親品番入力エリアに品番（Ａ１）を入力するとともに、共用先生産基本情報入力エリアに物品（Ｂ１）、物品（Ｃ１）、共用先親製番入力エリアに製番（＊）、共用先親品番入力エリアに（Ｂ１）、（Ｃ１）を入力し、共用ボタンをクリックする。
【００９０】
共用ボタンをクリックすると、コンピュータ１１は、親製番（＊）を参照し、中間製番（＊）、子製番（＊）が設定された生産基本情報の２項関係および３項関係を構成マスタから抽出し、物品（Ａ１）と同様の２項関係および３項関係を物品（Ｂ１）、（Ｃ１）に適用する（関係共用手段、関係共用プロセス）。コンピュータ１１は、物品（Ｂ１）と拠点（β１）との２項関係、物品（Ｂ１）と拠点（β１）と工程（Ｍ１）との３項関係、物品（Ｂ１）と拠点（β１）と部品（ａ１）との３項関係、物品（Ｂ１）と拠点（β１）と部品（ｂ１）との３項関係、物品（Ｂ１）と拠点（β１）と部品（Ｄ１）との３項関係を構成マスタ１３に格納する。さらに、物品（Ｃ１）と拠点（β１）との２項関係、物品（Ｃ１）と拠点（β１）と工程（Ｍ１）との３項関係、物品（Ｃ１）と拠点（β１）と部品（ａ１）との３項関係、物品（Ｃ１）と拠点（β１）と部品（ｂ１）との３項関係、物品（Ｃ１）と拠点（β１）と部品（Ｄ１）との３項関係を構成マスタ１３に格納する。構成マスタ１３では、図８に示すように、物品（Ａ１）の２項関係および３項関係を物品（Ａ１）と物品（Ｂ１）、（Ｃ１）とが共用している。
【００９１】
共用処理が行われた後、構成マスタ１３では、物品（Ａ１）、（Ｂ１）、（Ｃ１）と拠点（β１）とが紐付けられ、２項関係に基づいてそれらが連繋し、物品（Ａ１）、（Ｂ１）、（Ｃ１）と拠点（β１）と工程（Ｍ１）とが紐付けられ、３項関係に基づいてそれらが連繋する。物品（Ａ１）、（Ｂ１）、（Ｃ１）と拠点（β１）と部品（ａ１）とが紐付けられ、３項関係に基づいてそれらが連繋し、物品（Ａ１）、（Ｂ１）、（Ｃ１）と拠点（β１）と部品（ｂ１）とが紐付けられ、３項関係に基づいてそれらが連繋する。物品（Ａ１）、（Ｂ１）、（Ｃ１）と拠点（β１）と部品（Ｄ１）とが紐付けられ、３項関係に基づいてそれらが連繋する。
【００９２】
統合化部品表作成システム１０および統合化部品表作成方法は、物品（Ａ１）（所定物品）の２項関係および３項関係を形成する拠点（α１）が拠点（β１）に変更され、工程（Ｌ１）が工程（Ｍ１）に変更されると、変更された拠点（β１）、工程（Ｍ１）を含む２項関係と３項関係を物品（Ａ１）（所定物品）と物品（Ｂ１）、（Ｃ１）（他物品）とに共用させ、変更された生産基本情報を含む２項関係および３項関係のうちの物品（Ａ１）と物品（Ｂ１）、（Ｃ１）とに共通の関係をそれら物品（Ａ１）、（Ｂ１）、（Ｃ１）に一元的に適用するから、共通の２項関係や３項関係を物品（Ａ１）と物品（Ｂ１）、（Ｃ１）とにそれぞれ別に設定する必要はなく、各種物品の統合化部品表を効率的に作成することができる。
【００９３】
統合化部品表作成システム１０および統合化部品表作成方法は、物品（Ａ１）（所定物品）の３項関係に部品（ｄ１）が追加されると、追加された部品（ｄ１）を含む３項関係を物品（Ａ１）（所定物品）と物品（Ｂ１）、（Ｃ１）（他物品）とに共用させ、追加された部品（ｄ１）を含む３項関係のうちの物品（Ａ１）と物品（Ｂ１）、（Ｃ１）とに共通の関係をそれら物品（Ａ１）、（Ｂ１）、（Ｃ１）に一元的に適用するから、共通の３項関係を物品（Ａ１）と物品（Ｂ１）、（Ｃ１）とにそれぞれ別に設定する必要はなく、各種物品の統合化部品表を効率的に作成することができる。
【００９４】
統合化部品表作成システム１０および統合化部品表作成方法は、物品（Ａ１）（所定物品）の３項関係を形成する部品（ｃ１）が削除されると、削除された部品（ｃ１）を除く３項関係を物品（Ａ１）（所定物品）と物品（Ｂ１）、（Ｃ１）（他物品）とに共用させ、削除された部品（ｃ１）を除く３項関係のうちの物品（Ａ１）と物品（Ｂ１）、（Ｃ１）とに共通の関係をそれら物品（Ａ１）、（Ｂ１）、（Ｃ１）に一元的に適用するから、共通の３項関係を物品（Ａ１）と物品（Ｂ１）、（Ｃ１）とにそれぞれ別に設定する必要はなく、各種物品の統合化部品表を効率的に作成することができる。
【００９５】
２００７年６月３０日には、２項関係および３項関係の世代が交代している。２００７年６月３０日には、物品（Ａ２）と拠点（β２）との２項関係、物品（Ａ２）と拠点（β２）と工程（Ｍ２）の３項関係、物品（Ａ２）と拠点（β２）と部品（ａ２）の３項関係、物品（Ａ２）と拠点（β２）と部品（ｂ２）の３項関係、物品（Ａ２）と拠点（β２）と部品（ｄ２）の３項関係が構成マスタに格納される。構成マスタを選択するとともに関係世代設定を選択すると、コンピュータ１１のディスプレイには、２項関係世代入力エリア（１）〜２項関係世代入力エリア（ｎ）と３項関係世代入力エリア（１）〜３項関係世代入力エリア（ｎ）とが表示される。
【００９６】
入力装置によって２項関係世代入力エリア（１）のうちの親情報（第１生産基本情報）入力エリアに物品（Ａ２）とその製番（＊）、それを特定する品番（Ａ２）を入力し、子情報（第２生産基本情報）入力エリアに拠点（β２）とその製番（＊）、それを特定する品番（β２）を入力する。２項関係世代入力エリア（１）に対応する関係開始日（関係開始時点）入力エリアにあらたな２項関係の開始日（２００７年７月１日）を入力する。さらに、２項関係世代入力エリア（１）に対応する終了対象２項関係入力エリアのうちの親情報入力エリアに物品（Ａ１）とその製番（＊）、それを特定する品番（Ａ１）を入力し、子情報入力エリアに拠点（β１）とその製番（＊）、それを特定する品番（β１）を入力し、２項関係世代入力エリア（１）に対応する関係終了日（関係終了時点）入力エリアに２項関係の終了日（２００７年６月３０日）を入力する。
【００９７】
コンピュータ１１は、親データ区分としての品目データ区分（ＰＣ００１）を物品（Ａ２）に設定し、子データ区分としての拠点データ区分（ＰＣ００２）を拠点（β２）に設定する。２項関係の世代に関する情報を入力すると、コンピュータ１１は、それら情報を構成マスタ１３に格納する。構成マスタ１３では、物品（Ａ２）と拠点（β２）とが紐付けられ、２項関係に基づいてそれらが連繋する。物品（Ａ１）と拠点（β１）との２項関係は、終了日の設定によって２００７年６月３０日で統合化部品表を形成する２項関係から外れる（離脱）。
【００９８】
入力装置によって３項関係世代入力エリア（１）のうちの親情報（第１生産基本情報）入力エリアに物品（Ａ２）とその製番（＊）、それを特定する品番（Ａ２）を入力し、中間情報（第２生産基本情報）入力エリアに拠点（β２）とその製番（＊）、それを特定する品番（β２）を入力するとともに、子情報（第３生産基本情報）入力エリアに工程（Ｍ２）とその製番（＊）、それを特定する品番（Ｍ２）を入力する。３項関係世代入力エリア（１）に対応する関係開始日（関係開始時点）入力エリアにあらたな３項関係の開始日（２００７年７月１日）を入力する。
【００９９】
さらに、３項関係世代入力エリア（１）に対応する終了対象３項関係入力エリアのうちの親情報入力エリアに物品（Ａ１）とその製番（＊）、それを特定する品番（Ａ１）を入力し、中間情報入力エリアに拠点（β１）とその製番（＊）、それを特定する品番（β１）を入力するとともに、子情報入力エリアに工程（Ｍ１）とその製番（＊）、それを特定する品番（Ｍ１）を入力する。３項関係世代入力エリア（１）に対応する関係終了日（関係終了時点）入力エリアに３項関係の終了日（２００７年６月３０日）を入力する。
【０１００】
コンピュータ１１は、親データ区分としての品目データ区分（ＰＣ００１）を物品（Ａ２）に設定し、中間データ区分としての拠点データ区分（ＰＣ００２）を拠点（β２）に設定するとともに、子データ区分としての工程データ区分（ＰＣ００３）を工程（Ｍ２）に設定する。３項関係の世代に関する情報を入力すると、コンピュータ１１は、それら情報を構成マスタ１３に格納する。構成マスタ１３では、物品（Ａ２）と拠点（β２）と工程（Ｍ２）とが紐付けられ、３項関係に基づいてそれらが連繋する。物品（Ａ１）と拠点（β１）と工程（Ｍ１）との３項関係は、終了日の設定によって２００７年６月３０日で統合化部品表を形成する３項関係から外れる。
【０１０１】
３項関係世代入力エリア（２）のうちの親情報入力エリアに物品（Ａ２）とその製番（＊）、それを特定する品番（Ａ２）を入力し、中間情報入力エリアに拠点（β２）とその製番（＊）、それを特定する品番（β２）を入力するとともに、子情報入力エリアに部品（ａ２）とその製番（＊）、それを特定する品番（ａ２）を入力する。３項関係世代入力エリア（２）に対応する関係開始日入力エリアにあらたな３項関係の開始日（２００７年７月１日）を入力する。
【０１０２】
さらに、３項関係世代入力エリア（２）に対応する終了対象３項関係入力エリアのうちの親情報入力エリアに物品（Ａ１）とその製番（＊）、それを特定する品番（Ａ１）を入力し、中間情報入力エリアに拠点（β１）とその製番（＊）、それを特定する品番（β１）を入力するとともに、子情報入力エリアに部品（ａ１）とその製番（＊）、それを特定する品番（ａ１）を入力する。３項関係世代入力エリア（２）に対応する関係終了日入力エリアに３項関係の終了日（２００７年６月３０日）を入力する。
【０１０３】
コンピュータ１１は、親データ区分としての品目データ区分（ＰＣ００１）を物品（Ａ２）に設定し、中間データ区分としての拠点データ区分（ＰＣ００２）を拠点（β２）に設定するとともに、子データ区分としての品目データ区分（ＰＣ００１）を部品（ａ２）に設定する。構成マスタ１３では、物品（Ａ２）と拠点（β２）と部品（ａ２）とが紐付けられ、３項関係に基づいてそれらが連繋する。物品（Ａ１）と拠点（β１）と部品（ａ１）との３項関係は、終了日の設定によって２００７年６月３０日で統合化部品表を形成する３項関係から外れる。
【０１０４】
３項関係世代入力エリア（３）のうちの親情報入力エリアに物品（Ａ２）とその製番（＊）、それを特定する品番（Ａ２）を入力し、中間情報入力エリアに拠点（β２）とその製番（＊）、それを特定する品番（β２）を入力するとともに、子情報入力エリアに部品（ｂ２）とその製番（＊）、それを特定する品番（ｂ２）を入力する。３項関係世代入力エリア（３）に対応する関係開始日入力エリアにあらたな３項関係の開始日（２００７年７月１日）を入力する。
【０１０５】
さらに、３項関係世代入力エリア（３）に対応する終了対象３項関係入力エリアのうちの親情報入力エリアに物品（Ａ１）とその製番（＊）、それを特定する品番（Ａ１）を入力し、中間情報入力エリアに拠点（β１）とその製番（＊）、それを特定する品番（β１）を入力するとともに、子情報入力エリアに部品（ｂ１）とその製番（＊）、それを特定する品番（ｂ１）を入力する。３項関係世代入力エリア（３）に対応する関係終了日入力エリアに３項関係の終了日（２００７年６月３０日）を入力する。
【０１０６】
コンピュータ１１は、親データ区分としての品目データ区分（ＰＣ００１）を物品（Ａ２）に設定し、中間データ区分としての拠点データ区分（ＰＣ００２）を拠点（β２）に設定するとともに、子データ区分としての品目データ区分（ＰＣ００１）を部品（ｂ２）に設定する。構成マスタ１３では、物品（Ａ２）と拠点（β２）と部品（ｂ２）とが紐付けられ、３項関係に基づいてそれらが連繋する。物品（Ａ１）と拠点（β１）と部品（ｂ１）との３項関係は、終了日の設定によって２００７年６月３０日で統合化部品表を形成する３項関係から外れる。
【０１０７】
３項関係世代入力エリア（４）のうちの親情報入力エリアに物品（Ａ２）とその製番（＊）、それを特定する品番（Ａ２）を入力し、中間情報入力エリアに拠点（β２）とその製番（＊）、それを特定する品番（β２）を入力するとともに、子情報入力エリアに部品（ｄ２）とその製番（＊）、それを特定する品番（ｄ２）を入力する。３項関係世代入力エリア（４）に対応する関係開始日入力エリアにあらたな３項関係の開始日（２００７年７月１日）を入力する。
【０１０８】
さらに、３項関係世代入力エリア（４）に対応する終了対象３項関係入力エリアのうちの親情報入力エリアに物品（Ａ１）とその製番（＊）、それを特定する品番（Ａ１）を入力し、中間情報入力エリアに拠点（β１）とその製番（＊）、それを特定する品番（β１）を入力するとともに、子情報入力エリアに部品（ｄ１）とその製番（＊）、それを特定する品番（ｄ１）を入力する。３項関係世代入力エリア（４）に対応する関係終了日入力エリアに３項関係の終了日（２００７年６月３０日）を入力する。
【０１０９】
コンピュータ１１は、親データ区分としての品目データ区分（ＰＣ００１）を物品（Ａ２）に設定し、中間データ区分としての拠点データ区分（ＰＣ００２）を拠点（β２）に設定するとともに、子データ区分としての品目データ区分（ＰＣ００１）を部品（ｄ２）に設定する。構成マスタ１３では、物品（Ａ２）と拠点（β２）と部品（ｄ２）とが紐付けられ、３項関係に基づいてそれらが連繋する。物品（Ａ１）と拠点（β１）と部品（ｄ１）との３項関係は、終了日の設定によって２００７年６月３０日で統合化部品表を形成する３項関係から外れる。
【０１１０】
コンピュータ１１のディスプレイに表示された選択画面から構成マスタを選択するとともに関係共用を選択すると、ディスプレイには、共用元生産基本情報入力エリア、共用元親製番入力エリア、共用元親品番入力エリア、共用先生産基本情報入力エリア、共用先親製番入力エリア、共用先親品番入力エリアが表示される。入力装置によって共用元生産基本情報入力エリアに物品（Ａ２）、共用元親製番入力エリアに製番（＊）、共用元親品番入力エリアに品番（Ａ２）を入力するとともに、共用先生産基本情報入力エリアに物品（Ｂ２）、物品（Ｃ２）、共用先親製番入力エリアに製番（＊）、共用先親品番入力エリアに（Ｂ２）、（Ｃ２）を入力し、共用ボタンをクリックする。
【０１１１】
共用ボタンをクリックすると、コンピュータ１１は、親製番（＊）を参照し、中間製番（＊）、子製番（＊）が設定された生産基本情報の２項関係および３項関係を構成マスタから抽出し、物品（Ａ２）と同様の２項関係および３項関係を物品（Ｂ２）、（Ｃ２）に適用する（関係共用手段、関係共用プロセス）。コンピュータ１１は、物品（Ｂ２）と拠点（β２）との２項関係、物品（Ｂ２）と拠点（β２）と工程（Ｍ２）との３項関係、物品（Ｂ２）と拠点（β２）と部品（ａ２）との３項関係、物品（Ｂ２）と拠点（β２）と部品（ｂ２）との３項関係、物品（Ｂ２）と拠点（β２）と部品（ｄ２）との３項関係を構成マスタ１３に格納する。さらに、物品（Ｃ２）と拠点（β２）との２項関係、物品（Ｃ２）と拠点（β２）と工程（Ｍ２）との３項関係、物品（Ｃ２）と拠点（β２）と部品（ａ２）との３項関係、物品（Ｃ２）と拠点（β２）と部品（ｂ２）との３項関係、物品（Ｃ２）と拠点（β２）と部品（ｄ２）との３項関係を構成マスタ１３に格納する。構成マスタ１３では、図９に示すように、物品（Ａ２）の２項関係および３項関係を物品（Ａ２）と物品（Ｂ２），（Ｃ２）とが共用している。
【０１１２】
共用処理が行われた後、構成マスタ１３では、物品（Ａ２）、（Ｂ２）、（Ｃ２）と拠点（β２）とが紐付けられ、２項関係に基づいてそれらが連繋し、物品（Ａ２）、（Ｂ２）、（Ｃ２）と拠点（β２）と工程（Ｍ２）とが紐付けられ、３項関係に基づいてそれらが連繋する。物品（Ａ２）、（Ｂ２）、（Ｃ２）と拠点（β２）と部品（ａ２）とが紐付けられ、３項関係に基づいてそれらが連繋し、物品（Ａ２）、（Ｂ２）、（Ｃ２）と拠点（β２）と部品（ｂ２）とが紐付けられ、３項関係に基づいてそれらが連繋する。物品（Ａ２）、（Ｂ２）、（Ｃ２）と拠点（β２）と部品（ｄ２）とが紐付けられ、３項関係に基づいてそれらが連繋する。
【０１１３】
統合化部品表作成システム１０および統合化部品表作成方法は、物品（Ａ１）（所定物品）の２項関係および３項関係の世代が交代すると、世代が交代した２項関係と３項関係とを物品（Ａ１）（所定物品）と物品（Ｂ１）、（Ｃ１）（他物品）とに共用させ、世代が交代した２項関係および３項関係とのうちの物品（Ａ１）と物品（Ｂ１）、（Ｃ１）とに共通の関係をそれら物品（Ａ１）、（Ｂ１）、（Ｃ１）に一元的に適用するから、共通の２項関係や３項関係を物品（Ａ１）と物品（Ｂ１）、（Ｃ１）とにそれぞれ別に設定する必要はなく、各種物品の統合化部品表を効率的に作成することができる。
【０１１４】
図１０は、各生産基本情報の開始日と終了日との一覧を示す図であり、図１１，１２は、４月１５日における統合化部品表作成の説明図である。図１３は、作成された統合化部品表の一例を示す図である。図１０では、期間として２００７年４月１日〜８月３１日までを示す。このシステム１０では、過去に遡った任意の時点における統合化部品表を作成することができる。入力装置によって指定された日付における統合化部品表の作成指示が行われると、コンピュータ１１は、２項関係や３項関係の開始日と終了日とを参照しつつ、構成マスタ１３から指定された日付における各種複数の２項関係や各種複数の３項関係を抽出するとともに、生産基本情報マスタ１２から２項関係や３項関係を形成する各種複数の生産基本情報を抽出する。
【０１１５】
コンピュータ１１は、２項関係を形成する第１生産基本情報の親データ区分や第２生産基本情報の子データ区分を参照し、それら２項関係のうちの同一のデータ区分の生産基本情報どうしを結合させることで抽出した各種複数の２項関係を統合する。コンピュータ１１は、２項関係を形成する第１生産基本情報の親データ区分や第２生産基本情報の子データ区分を参照しつつ、３項関係を形成する第１生産基本情報の親データ区分や第２生産基本情報の中間データ区分、第３生産基本情報の子データ区分を参照し、それら２項関係や３項関係のうちの同一のデータ区分の生産基本情報どうしを結合させることで抽出した各種複数の２項関係と３項関係とを統合する。さらに、コンピュータ１１は、３項関係を形成する第１生産基本情報の親データ区分や第２生産基本情報の中間データ区分、第３生産基本情報の子データ区分を参照し、それら３項関係のうちの同一のデータ区分の生産基本情報どうしを結合させることで抽出した各種複数の３項関係を統合する。コンピュータ１１は、統合した関係に従って、生産基本情報マスタ１２から抽出した各種複数の生産基本情報をその上位概念から下位概念に向かって一連につなげることで、指定された日付における物品の統合化部品表を作成する。
【０１１６】
４月１５日における統合化部品表の作成を説明すると、以下のとおりである。２００７年４月１５日における統合化部品表の作成指示が行われると、コンピュータ１１は、２項関係や３項関係の開始日および終了日を参照し、２００７年４月１５日現在において統合化部品表を形成する２項関係および３項関係を構成マスタ１３から抽出する。コンピュータ１１は、構成マスタ１３から物品（Ａ１）、（Ｂ１）、（Ｃ１）と拠点（α１）との２項関係を抽出する。さらに、物品（Ａ１）、（Ｂ１）、（Ｃ１）と拠点（α１）と工程（Ｌ１）との３項関係、物品（Ａ１）、（Ｂ１）、（Ｃ１）と拠点（α１）と物品（ａ１）との３項関係、物品（Ａ１）、（Ｂ１）、（Ｃ１）と拠点（α１）と工程（ｂ１）との３項関係、物品（Ａ１）、（Ｂ１）、（Ｃ１）と拠点（α１）と工程（ｃ１）との３項関係を抽出する。
【０１１７】
コンピュータ１１は、物品（Ａ１）、（Ｂ１）、（Ｃ１）の親データ区分（ＰＣ００１）を品目データ区分（ＰＣ００１）に読み替え、品番（Ａ１）、（Ｂ１）、（Ｃ１）と品目データ区分（ＰＣ００１）とに基づいて品目マスタから物品（Ａ１）、（Ｂ１）、（Ｃ１）を抽出し、拠点（α１）の子データ区分（ＰＣ００２）を拠点データ区分（ＰＣ００２）に読み替え、品番（α１）と拠点データ区分（ＰＣ００２）とに基づいて拠点マスタから拠点（α１）を抽出する。工程（Ｌ１）の子データ区分（ＰＣ００３）を工程データ区分（ＰＣ００３）に読み替え、品番（Ｌ１）と工程データ区分（ＰＣ００３）とに基づいて工程マスタから工程（Ｌ１）を抽出し、部品（ａ１）の子データ区分（ＰＣ００１）を品目データ区分（ＰＣ００１）に読み替え、品番（ａ１）と品目データ区分（ＰＣ００１）とに基づいて品目マスタから部品（ａ１）を抽出する。
【０１１８】
コンピュータ１１１１は、部品（ｂ１）の子データ区分（ＰＣ００１）を品目データ区分（ＰＣ００１）に読み替え、品番（ｂ１）と品目データ区分（ＰＣ００１）とに基づいて品目マスタから部品（ｂ１）を抽出し、部品（ｃ１）の子データ区分（ＰＣ００１）を品目データ区分（ＰＣ００１）に読み替え、品番（ｃ１）と品目データ区分（ＰＣ００１）とに基づいて品目マスタから部品（ｃ１）を抽出する。
【０１１９】
コンピュータ１１は、抽出した２項関係および３項関係のうち、データ区分（ＰＣ００１）と品番（Ａ１）、（Ｂ１）、（Ｃ１）とから物品（Ａ１）、（Ｂ１）、（Ｃ１）を同一共通の生産基本情報と判断し、データ区分（ＰＣ００２）と品番（α１）とから拠点（α１）を同一共通の生産基本情報と判断する。コンピュータ１１は、それら２項関係とそれら３項関係とにおいて共通の生産基本情報を結合させる。それにより、それら２項関係が統合され（２項関係統合手段、２項関係統合プロセス）、それら３項関係が統合されるとともに（３項関係統合手段、３項関係統合プロセス）、それら２項関係とそれら３項関係とが統合される（２項３項関係統合手段、２項３項関係統合プロセス）。
【０１２０】
それら関係を統合した後、コンピュータ１１は、結合した関係に各マスタから抽出した生産基本情報を組み入れ、各種複数の生産基本情報がその上位概念から下位概念に向かって一連につながる統合化部品表を作成する（統合化部品表作成手段、（統合化部品表作成プロセス））。作成された統合化部品表では、図１３に示すように、物品（Ａ１）、（Ｂ１）、（Ｃ１）の直近下位に拠点（α１）が位置し、拠点（α１）の直近下位に工程（Ｌ１）、部品（ａ１）、部品（ｂ１）、部品（ｃ１）が並列に位置している。コンピュータ１１は、作成した４月１５日における物品（Ａ１）、（Ｂ１）、（Ｃ１）の統合化部品表を記憶装置またはハードディスクに格納し（統合化部品表格納手段、統合化部品表格納プロセス）、作成した物品（Ａ１）、（Ｂ１）、（Ｃ１）の統合化部品表を出力装置を介して出力する（統合化部品表出力手段、統合化部品表出力プロセス）。
【０１２１】
図１４は、５月３１日における統合化部品表作成の説明図であり、図１５は、作成された統合化部品表の他の一例を示す図である。５月３１日における統合化部品表の作成を説明すると、以下のとおりである。２００７年５月３１日における統合化部品表の作成指示が行われると、コンピュータ１１は、２項関係や３項関係の開始日および終了日を参照し、２００７年５月３１日現在において統合化部品表を形成する２項関係および３項関係を構成マスタ１３から抽出する。
【０１２２】
コンピュータ１１は、構成マスタ１３から物品（Ａ１）、（Ｂ１）、（Ｃ１）と拠点（β１）との２項関係を抽出する。さらに、物品（Ａ１）、（Ｂ１）、（Ｃ１）と拠点（β１）と工程（Ｍ１）との３項関係、物品（Ａ１）、（Ｂ１）、（Ｃ１）と拠点（β１）と物品（ａ１）との３項関係、物品（Ａ１）、（Ｂ１）、（Ｃ１）と拠点（β１）と工程（ｂ１）との３項関係、物品（Ａ１）、（Ｂ１）、（Ｃ１）と拠点（β１）と工程（ｄ１）との３項関係を抽出する。
【０１２３】
コンピュータ１１は、物品（Ａ１）、（Ｂ１）、（Ｃ１）の親データ区分（ＰＣ００１）を品目データ区分（ＰＣ００１）に読み替え、品番（Ａ１）、（Ｂ１）、（Ｃ１）と品目データ区分（ＰＣ００１）とに基づいて品目マスタから物品（Ａ１）、（Ｂ１）、（Ｃ１）を抽出し、拠点（β１）の子データ区分（ＰＣ００２）を拠点データ区分（ＰＣ００２）に読み替え、品番（β１）と拠点データ区分（ＰＣ００２）とに基づいて拠点マスタから拠点（β１）を抽出する。工程（Ｍ１）の子データ区分（ＰＣ００３）を工程データ区分（ＰＣ００３）に読み替え、品番（Ｍ１）と工程データ区分（ＰＣ００３）とに基づいて工程マスタから工程（Ｍ１）を抽出し、部品（ａ１）の子データ区分（ＰＣ００１）を品目データ区分（ＰＣ００１）に読み替え、品番（ａ１）と品目データ区分（ＰＣ００１）とに基づいて品目マスタから部品（ａ１）を抽出する。
【０１２４】
コンピュータ１１１１は、部品（ｂ１）の子データ区分（ＰＣ００１）を品目データ区分（ＰＣ００１）に読み替え、品番（ｂ１）と品目データ区分（ＰＣ００１）とに基づいて品目マスタから部品（ｂ１）を抽出し、部品（ｄ１）の子データ区分（ＰＣ００１）を品目データ区分（ＰＣ００１）に読み替え、品番（ｄ１）と品目データ区分（ＰＣ００１）とに基づいて品目マスタから部品（ｄ１）を抽出する。
【０１２５】
コンピュータ１１は、抽出した２項関係および３項関係のうち、データ区分（ＰＣ００１）と品番（Ａ１）、（Ｂ１）、（Ｃ１）とから物品（Ａ１）、（Ｂ１）、（Ｃ１）を同一共通の生産基本情報と判断し、データ区分（ＰＣ００２）と品番（β１）とから拠点（β１）を同一共通の生産基本情報と判断する。コンピュータ１１は、それら２項関係とそれら３項関係とにおいて共通の生産基本情報を結合させる。それにより、それら２項関係が統合され（２項関係統合手段、２項関係統合プロセス）、それら３項関係が統合されるとともに（３項関係統合手段、３項関係統合プロセス）、それら２項関係とそれら３項関係とが統合される（２項３項関係統合手段、２項３項関係統合プロセス）。
【０１２６】
それら関係を統合した後、コンピュータ１１は、結合した関係に各マスタから抽出した生産基本情報を組み入れ、各種複数の生産基本情報がその上位概念から下位概念に向かって一連につながる統合化部品表を作成する（統合化部品表作成手段、（統合化部品表作成プロセス））。作成された統合化部品表では、図１５に示すように、物品（Ａ１）、（Ｂ１）、（Ｃ１）の直近下位に拠点（β１）が位置し、拠点（β１）の直近下位に工程（Ｍ１）、部品（ａ１）、部品（ｂ１）、部品（ｄ１）が並列に位置している。コンピュータ１１は、作成した５月３１日における物品（Ａ１）、（Ｂ１）、（Ｃ１）の統合化部品表を記憶装置またはハードディスクに格納し（統合化部品表格納手段、統合化部品表格納プロセス）、作成した物品（Ａ１）、（Ｂ１）、（Ｃ１）の統合化部品表を出力装置を介して出力する（統合化部品表出力手段、統合化部品表出力プロセス）。
【０１２７】
図１６は、８月３１日における統合化部品表作成の説明図であり、図１７は、作成された統合化部品表の他の一例を示す図である。８月３１日における統合化部品表の作成を説明すると、以下のとおりである。２００７年８月３１日における統合化部品表の作成指示が行われると、コンピュータ１１は、２項関係や３項関係の開始日および終了日を参照し、２００７年８月３１日現在において統合化部品表を形成する２項関係および３項関係を構成マスタ１３から抽出する。
【０１２８】
コンピュータ１１は、構成マスタ１３から物品（Ａ２）、（Ｂ２）、（Ｃ２）と拠点（β２）との２項関係を抽出する。さらに、物品（Ａ２）、（Ｂ２）、（Ｃ２）と拠点（β２）と工程（Ｍ２）との３項関係、物品（Ａ２）、（Ｂ２）、（Ｃ２）と拠点（β２）と部品（ａ２）との３項関係、物品（Ａ２）、（Ｂ２）、（Ｃ２）と拠点（β２）と部品（ｂ２）との３項関係、物品（Ａ２）、（Ｂ２）、（Ｃ２）と拠点（β２）と部品（ｄ２）との３項関係を抽出する。
【０１２９】
コンピュータ１１は、物品（Ａ２）、（Ｂ２）、（Ｃ２）の親データ区分（ＰＣ００１）を品目データ区分（ＰＣ００１）に読み替え、品番（Ａ２）、（Ｂ２）、（Ｃ２）と品目データ区分（ＰＣ００１）とに基づいて品目マスタから物品（Ａ２）、（Ｂ２）、（Ｃ２）を抽出し、拠点（β２）の子データ区分（ＰＣ００２）を拠点データ区分（ＰＣ００２）に読み替え、品番（β２）と拠点データ区分（ＰＣ００２）とに基づいて拠点マスタから拠点（β２）を抽出する。工程（Ｍ２）の子データ区分（ＰＣ００３）を工程データ区分（ＰＣ００３）に読み替え、品番（Ｍ２）と工程データ区分（ＰＣ００３）とに基づいて工程マスタから工程（Ｍ２）を抽出し、部品（ａ２）の子データ区分（ＰＣ００１）を品目データ区分（ＰＣ００１）に読み替え、品番（ａ２）と品目データ区分（ＰＣ００１）とに基づいて品目マスタから部品（ａ２）を抽出する。
【０１３０】
コンピュータ１１１１は、部品（ｂ２）の子データ区分（ＰＣ００１）を品目データ区分（ＰＣ００１）に読み替え、品番（ｂ２）と品目データ区分（ＰＣ００１）とに基づいて品目マスタから部品（ｂ２）を抽出し、部品（ｄ２）の子データ区分（ＰＣ００１）を品目データ区分（ＰＣ００１）に読み替え、品番（ｄ２）と品目データ区分（ＰＣ００１）とに基づいて品目マスタから部品（ｄ２）を抽出する。
【０１３１】
コンピュータ１１は、抽出した２項関係および３項関係のうち、データ区分（ＰＣ００１）と品番（Ａ２）、（Ｂ２）、（Ｃ２）とから物品（Ａ２）、（Ｂ２）、（Ｃ２）を同一共通の生産基本情報と判断し、データ区分（ＰＣ００２）と品番（β２）とから拠点（β２）を同一共通の生産基本情報と判断する。コンピュータ１１は、それら２項関係とそれら３項関係とにおいて共通の生産基本情報を結合させる。それにより、それら２項関係が統合され（２項関係統合手段、２項関係統合プロセス）、それら３項関係が統合されるとともに（３項関係統合手段、３項関係統合プロセス）、それら２項関係とそれら３項関係とが統合される（２項３項関係統合手段、２項３項関係統合プロセス）。
【０１３２】
それら関係を統合した後、コンピュータ１１は、結合した関係に各マスタから抽出した生産基本情報を組み入れ、各種複数の生産基本情報がその上位概念から下位概念に向かって一連につながる統合化部品表を作成する（統合化部品表作成手段、（統合化部品表作成プロセス））。作成された統合化部品表では、図１７に示すように、物品（Ａ２）、（Ｂ２）、（Ｃ２）の直近下位に拠点（β２）が位置し、拠点（β２）の直近下位に工程（Ｍ２）、部品（ａ２）、部品（ｂ２）、部品（ｄ２）が並列に位置している。コンピュータ１１は、作成した８月３１日における物品（Ａ２）、（Ｂ２）、（Ｃ２）の統合化部品表を記憶装置またはハードディスクに格納し（統合化部品表格納手段、統合化部品表格納プロセス）、作成した物品（Ａ２）、（Ｂ２）、（Ｃ２）の統合化部品表を出力装置を介して出力する（統合化部品表出力手段、統合化部品表出力プロセス）。
【０１３３】
統合化部品表作成システム１０および統合化部品表作成方法は、それら生産基本情報から形成された物品の統合化部品表を作成することができ、所定の物品の品目情報や拠点情報、工程情報等を把握することが可能な統合化部品表を作成することができる。この統合化部品表作成システム１０および統合化部品表作成方法は、生産基本情報や２項関係、３項関係の世代を区分する開始日および終了日を管理することで基本情報や２項関係、３項関係を時系列かつ世代別に管理可能であり、現在のみならず過去の任意の時点における物品の統合化部品表を作成することができる。
【０１３４】
統合化部品表作成システム１０および統合化部品表作成方法は、構成マスタ１３から抽出した各種複数の２項関係を統合し、構成マスタ１３から抽出した各種複数の３項関係を統合するとともに、各種複数の２項関係と３項関係とを統合し、統合した２項関係や統合した３項関係、統合した２項関係および３項関係に従って、生産基本情報マスタ１２から抽出した各種複数の生産基本情報をその上位概念から下位概念に向かって一連につなげることで各物品に対応する統合化部品表を作成するから、第１および第２生産基本情報から形成された２項関係と第１〜第３生産基本情報から形成された３項関係とを利用することで、異なる種類の生産基本情報を自由に組み合わせた多種多様な統合化部品表を作成することができる。
【０１３５】
なお、２項関係のみによって統合化部品表を構築すると、第１生産基本情報の直近下位に種類が異なる複数の第２生産基本情報が連繋し、同一の物品に対して複数の異なる統合化部品表が構築される場合があり、特定の条件毎の統合化部品表を表すことができない。しかし、この統合化部品表作成システム１０および統合化部品表作成方法は、２項関係に３項関係を加えることで、第１生産基本情報の直近下位に特定の第２生産基本情報が連繋するとともに、第２生産基本情報の直近下位に特定の第３生産基本情報が連繋し、それら生産基本情報を使用して各種物品に対応する特定条件の統合化部品表のみを構築することができる。
【０１３６】
この統合化部品表作成システム１０および統合化部品表作成方法では、生産基本情報の部品表形成時点として生産基本情報の開始日を設定し、生産基本情報の部品表からの離脱時点として生産基本情報の終了日を設定するとともに、２項３項関係の部品表形成時点として開始日を設定し、２項３項関係の部品表からの離脱時点として終了日を設定しているが、それらを日単位だけではなく、時間単位（時、分、秒）で設定することもできる。
【図面の簡単な説明】
【０１３７】
【図１】一例として示す統合化部品表作成システムの概略構成図。
【図２】品目マスタに格納された各種複数の品目情報の一例を示す図。
【図３】品目マスタに格納された各種複数の品目情報の一例を示す図。
【図４】拠点マスタに格納された各種複数の拠点情報の一例を示す図。
【図５】工程マスタに格納された各種複数の工程情報の一例を示す図。
【図６】構成マスタに格納された生産基本情報どうしの２項関係および３項関係の一例を示す図。
【図７】構成マスタに格納された生産基本情報どうしの２項関係および３項関係の一例を示す図。
【図８】構成マスタに格納された生産基本情報どうしの２項関係および３項関係の一例を示す図。
【図９】構成マスタに格納された生産基本情報どうしの２項関係および３項関係の一例を示す図。
【図１０】各生産基本情報の開始日と終了日との一覧を示す図。
【図１１】４月１５日における統合化部品表作成の説明図。
【図１２】４月１５日における統合化部品表作成の説明図。
【図１３】作成された統合化部品表の一例を示す図。
【図１４】５月３１日における統合化部品表作成の説明図。
【図１５】作成された統合化部品表の他の一例を示す図。
【図１６】８月３１日における統合化部品表作成の説明図。
【図１７】作成された統合化部品表の他の一例を示す図。
【符号の説明】
【０１３８】
１０    統合化部品表作成システム
１１    管理コンピュータ１１
１２    生産基本情報マスタ
１３    構成マスタ
１４    品目マスタ
１５    拠点マスタ
１６    工程マスタ
【図１】
2009080531.tif 000003
【図２】
2009080531.tif 000004
【図３】
2009080531.tif 000005
【図４】
2009080531.tif 000006
【図５】
2009080531.tif 000007
【図６】
2009080531.tif 000008
【図７】
2009080531.tif 000009
【図８】
2009080531.tif 000010
【図９】
2009080531.tif 000011
【図１０】
2009080531.tif 000012
【図１１】
2009080531.tif 000013
【図１２】
2009080531.tif 000014
【図１３】
2009080531.tif 000015
【図１４】
2009080531.tif 000016
【図１５】
2009080531.tif 000017
【図１６】
2009080531.tif 000018
【図１７】
2009080531.tif 000019